(57)【要約】  本開示は、送信電力スペクトル密度（ＰＳＤ）を適応させるためのいくつかの機構を提供する。通信デバイスは、チャネル状態、または送信機デバイスと受信機デバイスとの間の通信媒体に関連するＰＳＤ制約に、少なくとも部分的に基づいて、送信機において利用される電力スペクトルを適応させることができる。加えて、送信ＰＳＤは、送信機に関連付けられた総電力能力に、少なくとも部分的に基づいて、適応され得る。電力は、通信チャネルのスループットと利用率とを改善するために割り振られる。送信プロファイルは、ノッチ深度に、少なくとも部分的に基づいて選択され得る。送信プロファイルは、シンボルタイミングパラメータに関連付けられ得る。通信デバイスは、様々なノッチ深度向けに最適化された複数の選択可能なパルス形状を保持することができる。
2017501601.tif 000002
【特許請求の範囲】
【請求項１】
ネットワークを介して通信するための方法であって、
送信機に関連付けられた総電力能力の一部分を、通信チャネルに関連付けられた周波数サブバンドに割り振ることと、
前記総電力能力の前記割り振られた部分に、少なくとも部分的に基づいて、前記周波数サブバンド用の電力レベルを決定することと
を備える、方法。
【請求項２】
前記通信チャネルに関連付けられた周波数帯域から複数の周波数サブバンドを定義すること
をさらに備え、
前記送信機に関連付けられた前記総電力能力の前記部分を前記割り振ることが、前記複数の周波数サブバンドの各々に前記総電力能力の部分を割り振ることを含む、
請求項１に記載の方法。
【請求項３】
対応する周波数サブバンドに割り振られた前記総電力能力の対応する部分に、少なくとも部分的に基づいて、前記複数の周波数サブバンドの各々用のサブバンド電力レベルを決定すること
をさらに備える、請求項２に記載の方法。
【請求項４】
各対応する周波数サブバンドに関連付けられた前記サブバンド電力レベルをメッセージの一部として符号化することと、
前記メッセージを受信デバイスに通信することと
をさらに備える、請求項３に記載の方法。
【請求項５】
前記複数の周波数サブバンドを前記定義することが、ノッチされた連続周波数のセットを周波数サブバンドとしてグループ化することを含む、請求項２に記載の方法。
【請求項６】
前記複数の周波数サブバンドを前記定義することが、しきい値範囲内のチャネル品質インジケータに関連付けられた連続周波数のセットを周波数サブバンドとしてグループ化することを含む、請求項２に記載の方法。
【請求項７】
前記総電力能力の部分を前記割り振ることが、
ノッチされた周波数またはしきい値を下回るチャネル品質に関連付けられた各周波数サブバンドに最小電力を割り振ることと、
ノッチされた周波数または前記しきい値を下回るチャネル品質に関連付けられた各周波数サブバンドに前記最小電力を前記割り振ることの後に、前記総電力能力の残量を決定することと、
各残りの周波数サブバンドに前記総電力能力の前記残量の等しいサイズの部分を割り振ることと
を含む、請求項２に記載の方法。
【請求項８】
隣接する周波数サブバンド用の様々な電力レベルに関連付けられたノッチ深度を決定することと、
様々なノッチ深度用の複数の送信プロファイルの中から、前記ノッチ深度に、少なくとも部分的に、基づいて送信プロファイルを選択することと
をさらに備える、請求項２に記載の方法。
【請求項９】
前記送信プロファイルを使用して時間領域内でパルス整形を実行すること
をさらに備える、請求項８に記載の方法。
【請求項１０】
前記送信プロファイルがシンボルタイミングに関連付けられる、請求項８に記載の方法。
【請求項１１】
受信デバイスへの送信用に前記送信プロファイルを利用する前に、前記受信デバイスに前記選択された送信プロファイルを通信すること
をさらに備える、請求項８に記載の方法。
【請求項１２】
前記選択された送信プロファイルを前記通信することが、送信フレームのフレームヘッダ内でインジケータを送信することを含み、ここにおいて、前記フレームヘッダが前記送信プロファイルを使用せず、前記送信フレームの本体が前記送信プロファイルを使用する、請求項１１に記載の方法。
【請求項１３】
前記選択された送信プロファイルを前記通信することが、送信フレームのパケット本体内でインジケータを送信することを含み、前記送信プロファイルが次の送信フレームに使用される、請求項１１に記載の方法。
【請求項１４】
ネットワークを介して信号を送信することに適した装置であって、
送信機に関連付けられた総電力能力の一部分を、通信チャネルに関連付けられた周波数サブバンドに割り振ることと、
前記総電力能力の前記割り振られた部分に、少なくとも部分的に基づいて、前記周波数サブバンド用の電力レベルを決定することと
に適した送信適応モジュールと、
前記周波数サブバンド用の前記決定された電力レベルに従って信号を送信することに適した前記送信機と
を備える、装置。
【請求項１５】
前記送信適応モジュールが、前記通信チャネルに関連付けられた周波数帯域から複数の周波数サブバンドを定義することに適し、ここにおいて、前記送信適応モジュールが、前記複数の周波数サブバンドの各々に前記総電力能力の部分を割り振ることに適する、請求項１４に記載の装置。
【請求項１６】
前記送信適応モジュールが、
ノッチされた周波数またはしきい値を下回るチャネル品質に関連付けられた各周波数サブバンドに最小電力を割り振ることと、
ノッチされた周波数または前記しきい値を下回るチャネル品質に関連付けられた各周波数サブバンドに前記最小電力を前記割り振ることの後に、前記総電力能力の残量を決定することと、
各残りの周波数サブバンドに前記総電力能力の前記残量の等しいサイズの部分を割り振ることと
に適する、請求項１５に記載の装置。
【請求項１７】
前記送信適応モジュールが、
各周波数サブバンドに関連付けられた前記電力レベルをメッセージの一部として符号化することと、
前記メッセージを受信デバイスに通信することと
に適する、請求項１５に記載の装置。
【請求項１８】
前記送信適応モジュールが、
隣接する周波数サブバンド用の様々な電力レベルに関連付けられたノッチ深度を決定することと、
様々なノッチ深度用の複数の送信プロファイルの中から、前記ノッチ深度に基づいて送信プロファイルを選択することと
に適する、請求項１５に記載の装置。
【請求項１９】
前記送信適応モジュールが、前記送信プロファイルに基づいて時間領域内でパルス整形を実行することに適する、請求項１８に記載の装置。
【請求項２０】
前記送信適応モジュールが、受信デバイスへの送信用に前記送信プロファイルを利用する前に、前記受信デバイスに前記選択された送信プロファイルを通信することに適する、請求項１８に記載の装置。
【請求項２１】
前記送信適応モジュールが、送信フレームのフレームヘッダ内でインジケータを送信することによって、前記受信デバイスに前記選択された送信プロファイルを通信することに適し、ここにおいて、前記フレームヘッダが前記送信プロファイルを使用せず、前記送信フレームの本体が前記送信プロファイルを使用する、請求項２０に記載の装置。
【請求項２２】
通信チャネルに関連付けられた周波数帯域の隣接する周波数サブバンド用の様々な電力レベルに関連付けられたノッチ深度を決定することと、
様々なノッチ深度用の複数の送信プロファイルの中から、前記ノッチ深度に、少なくとも部分的に、基づいて送信プロファイルを選択することと、
前記選択された送信プロファイルを使用して信号を送信することと
を備える、方法。
【請求項２３】
前記送信プロファイルに基づいて時間領域内でパルス整形を実行すること
をさらに備える、請求項２２に記載の方法。
【請求項２４】
受信デバイスへの送信用に前記送信プロファイルを利用する前に、前記受信デバイスに前記選択された送信プロファイルを通信すること
をさらに備える、請求項２２に記載の方法。
【請求項２５】
前記選択された送信プロファイルを前記通信することが、送信フレームのフレームヘッダ内でインジケータを送信することを含み、ここにおいて、前記フレームヘッダが前記送信プロファイルを使用せず、前記送信フレームの本体が前記送信プロファイルを使用する、請求項２４に記載の方法。
【請求項２６】
ネットワークを介して信号を送信することに適した装置であって、
通信チャネルに関連付けられた周波数帯域の隣接する周波数サブバンド用の様々な電力レベルに関連付けられたノッチ深度を決定することと、
様々なノッチ深度用の複数の送信プロファイルの中から、前記ノッチ深度に基づいて送信プロファイルを選択することと
に適した送信適応モジュールと、
前記選択された送信プロファイルを使用して信号を送信することに適した送信機と
を備える、装置。
【請求項２７】
前記送信適応モジュールが、前記送信プロファイルに基づいて時間領域内でシンボルタイミングを実行することに適する、請求項２６に記載の装置。
【請求項２８】
前記送信適応モジュールが、受信デバイスへの送信用に前記送信プロファイルを利用する前に、前記受信デバイスに前記選択された送信プロファイルを通信することに適する、請求項２６に記載の装置。
【請求項２９】
前記送信適応モジュールが、送信フレームのフレームヘッダ内でインジケータを送信することによって、前記受信デバイスに前記選択された送信プロファイルを通信することに適し、ここにおいて、前記フレームヘッダが前記送信プロファイルを使用せず、前記送信フレームの本体が前記送信プロファイルを使用する、請求項２８に記載の装置。
【発明の詳細な説明】
【技術分野】
【０００１】
関連出願の相互参照
[0001]  本出願は、２０１３年１０月１１日に出願された米国特許出願第１４／０５２，１３０号の優先権の利益を主張する。
【０００２】
[0002]  本開示の実施形態は、一般に、ネットワーク通信の分野に関し、より詳細には、送信信号の特性値に関する。
【背景技術】
【０００３】
[0003]  通信技術は、通信媒体を介して多重周波数送信を利用するように発展している。たとえば、電力線通信（powerline communication）などの多くの技術では、送信デバイスは、通信媒体に結合された１つまたは複数の他のデバイスに、複数の周波数を介して信号を送ることができる。他の媒体および技術も、通信チャネルを介して複数の周波数が使用されるマルチキャリア伝送を使用することができる。
【０００４】
[0004]  電力スペクトル密度（ＰＳＤ：power spectral density）は、様々な周波数上の信号に対する電力分配を指す。たとえば、電力は、通信チャネルを介して使用される周波数のサブセットに対して削減され得る。特定の周波数に対して電力を削減することは、「ノッチング（notching）」または「フィルタリング（filtering）」と呼ばれる場合もある。いくつかの通信媒体では、（たとえば、規制上または規格化の要件の結果として）ある特定の周波数がノッチされる必要があり、ノッチ帯域（notched band）、確保帯域（reserved band）、または拒絶帯域(rejection band)と呼ばれ得る。様々な周波数に対する（ＰＳＤ制限、ＰＳＤ要件、またはＰＳＤマスクとも呼ばれる）ＰＳＤ制約（PSD constraint）は、様々なノッチ深度（notch depth）を有するノッチを導入することができる。ノッチ深度は、（ノッチの外側の周波数用の）ノッチされていない信号電力レベルと、ノッチ内の周波数用のノッチされた信号電力レベルとの間の差を指す。送信信号のＰＳＤでは、ノッチ深度は、ＰＳＤ要件、チャネル品質、または最適化技法に依存し得る。
【発明の概要】
【０００５】
[0005]  ＰＳＤ制約に対して送信電力および／またはパルス整形を適応させるために、様々な実施形態が記載される。ＰＳＤ制約は、規制されたＰＳＤ制限、チャネル品質制限、または他の制約を含む場合がある。送信電力の割振りは、ＰＳＤ制約、チャネル品質、および／または送信電力制限に少なくとも部分的に基づいて行われ得る。信号のＰＳＤは、電力割振りに少なくとも部分的に基づき得る。ＰＳＤに関連付けられたノッチ深度が決定され得る。いくつかの実施形態では、ノッチ深度は、ＰＳＤを調整することによって（たとえば、いくつかの周波数に対して電力割振りを調整することによって）変更され得る。たとえば、ＰＳＤは、ＰＳＤに関連付けられたノッチ深度を考慮して調整され得る。パルス形状（pulse shape）は、ノッチ深度に少なくとも部分的に基づいて選択され得る。送信機電力またはパルス形状に対する変更は、受信デバイスに通信され得る。
【０００６】
[0006]  一実施形態では、電力割振りは、送信機の総電力能力（total power capability）に少なくとも部分的に基づく。通信チャネルに関連付けられた周波数帯域は、複数の周波数サブバンドを含むように定義され得る。送信機に関連付けられた総電力能力の部分は、前記複数の周波数サブバンドの各々に割り振られ得る。周波数サブバンドごとの電力レベルは、前記周波数サブバンドに割り振られた前記総電力能力の割り振られた部分に少なくとも部分的に基づいて決定され得る。電力レベルは、前記送信機に関連付けられた総電力能力の使用を最適化するために、チャネル品質に少なくとも部分的に基づいて適応され得る。信号のＰＳＤは、電力割振りマップ内の適応された電力レベルに少なくとも部分的に基づき得る。パルス形状は、前記ＰＳＤに関連付けられたノッチ深度に少なくとも部分的に基づいて選択され得る。
【０００７】
[0007]  いくつかの実施形態では、方法は、送信機に関連付けられた総電力能力の一部分を通信チャネルに関連付けられた周波数サブバンドに割り振ることと、前記総電力能力の前記割り振られた部分に少なくとも部分的に基づいて前記周波数サブバンド用の電力レベルを決定することとを備える。
【０００８】
[0008]  いくつかの実施形態では、前記方法は、前記通信チャネルに関連付けられた周波数帯域から複数の周波数サブバンドを定義することをさらに備え、ここにおいて、前記送信機に関連付けられた前記総電力能力の前記部分を前記割り振ることは、前記複数の周波数サブバンドの各々に総電力能力の部分を割り振ることを含む。
【０００９】
[0009]  いくつかの実施形態では、前記方法は、対応する周波数サブバンドに割り振られた前記総電力能力の対応する部分に少なくとも部分的に基づいて、前記複数の周波数サブバンドの各々用のサブバンド電力レベルを決定することをさらに備える。
【００１０】
[0010]  いくつかの実施形態では、前記方法は、各対応する周波数サブバンドに関連付けられた前記サブバンド電力レベルをメッセージの一部として符号化することと、前記メッセージを受信デバイスに通信することとをさらに備える。
【００１１】
[0011]  いくつかの実施形態では、前記複数の周波数サブバンドを前記定義することは、ノッチされた連続周波数のセットを周波数サブバンドとしてグループ化することを含む。
【００１２】
[0012]  いくつかの実施形態では、前記複数の周波数サブバンドを前記定義することは、しきい値範囲内のチャネル品質インジケータ（channel quality indicator）に関連付けられた連続周波数のセットを周波数サブバンドとしてグループ化することを含む。
【００１３】
[0013]  いくつかの実施形態では、総電力能力の部分を前記割り振ることは、ノッチされた周波数またはしきい値を下回るチャネル品質に関連付けられた各周波数サブバンドに最小電力を割り振ることと、ノッチされた周波数または前記しきい値を下回るチャネル品質に関連付けられた各周波数サブバンドに最小電力を前記割り振ることの後に、総電力能力の残量を決定することと、各残りの周波数サブバンドに前記総電力能力の前記残量の等しいサイズの部分を割り振ることとを含む。
【００１４】
[0014]  いくつかの実施形態では、前記方法は、隣接する周波数サブバンド用の様々な電力レベルに関連付けられたノッチ深度を決定することと、様々なノッチ深度用の複数の送信プロファイル（transmission profile）の中から、前記ノッチ深度に少なくとも部分的に基づいて送信プロファイルを選択することとをさらに備える。
【００１５】
[0015]  いくつかの実施形態では、前記方法は、前記送信プロファイルを使用して時間領域内でパルス整形を実行することをさらに備える。
【００１６】
[0016]  いくつかの実施形態では、前記送信プロファイルはシンボルタイミング（symbol timing）に関連付けられる。
【００１７】
[0017]  いくつかの実施形態では、前記方法は、受信デバイスへの送信用に前記送信プロファイルを利用する前に、前記受信デバイスに前記選択された送信プロファイルを通信することをさらに備える。
【００１８】
[0018]  いくつかの実施形態では、前記選択された送信プロファイルを前記通信することは、送信フレームのフレームヘッダ（frame header）内でインジケータを送信することを含み、ここにおいて、前記フレームヘッダは前記送信プロファイルを使用せず、前記送信フレームの本体（body）は前記送信プロファイルを使用する。
【００１９】
[0019]  いくつかの実施形態では、前記選択された送信プロファイルを前記通信することは、送信フレームのパケット本体内でインジケータを送信することを含み、前記送信プロファイルは次の送信フレームに使用される。
【００２０】
[0020]  いくつかの実施形態では、ネットワークを介して信号を送信することに適した装置は、送信機に関連付けられた総電力能力の一部分を通信チャネルに関連付けられた周波数サブバンドに割り振ることと、前記総電力能力の前記割り振られた部分に少なくとも部分的に基づいて前記周波数サブバンド用の電力レベルを決定することとに適した送信適応モジュール（transmission adaptation module）と、前記周波数サブバンド用の前記決定された電力レベルに従って信号を送信することに適した送信機とを備える。
【００２１】
[0021]  いくつかの実施形態では、前記送信適応モジュールは、前記通信チャネルに関連付けられた周波数帯域から複数の周波数サブバンドを定義することに適し、ここにおいて、前記送信適応モジュールは、前記複数の周波数サブバンドの各々に前記総電力能力の部分を割り振ることに適する。
【００２２】
[0022]  いくつかの実施形態では、前記送信適応モジュールは、ノッチされた周波数またはしきい値を下回るチャネル品質に関連付けられた各周波数サブバンドに最小電力を割り振ることと、ノッチされた周波数または前記しきい値を下回るチャネル品質に関連付けられた各周波数サブバンドに前記最小電力を前記割り振ることの後に、前記総電力能力の残量を決定することと、各残りの周波数サブバンドに前記総電力能力の前記残量の等しいサイズの部分を割り振ることとに適する。
【００２３】
[0023]  いくつかの実施形態では、前記送信適応モジュールは、各対応する周波数サブバンドに関連付けられた前記電力レベルをメッセージの一部として符号化することと、前記メッセージを受信デバイスに通信することとに適する。
【００２４】
[0024]  いくつかの実施形態では、前記送信適応モジュールは、隣接する周波数サブバンド用の様々な電力レベルに関連付けられたノッチ深度を決定することと、様々なノッチ深度用の複数の送信プロファイルの中から、ノッチ深度に基づいて送信プロファイルを選択することとに適する。
【００２５】
[0025]  いくつかの実施形態では、前記送信適応モジュールは、前記送信プロファイルに基づいて時間領域内でパルス整形を実行することに適する。
【００２６】
[0026]  いくつかの実施形態では、前記送信適応モジュールは、受信デバイスへの送信用に前記送信プロファイルを利用する前に、前記受信デバイスに前記選択された送信プロファイルを通信することに適する。
【００２７】
[0027]  いくつかの実施形態では、前記送信適応モジュールは、送信フレームのフレームヘッダ内でインジケータを送信することによって、受信デバイスに前記選択された送信プロファイルを通信することに適し、ここにおいて、前記フレームヘッダは前記送信プロファイルを使用せず、前記送信フレームの本体は前記送信プロファイルを使用する。
【００２８】
[0028]  いくつかの実施形態では、方法は、通信チャネルに関連付けられた周波数帯域の隣接する周波数サブバンド用の様々な電力レベルに関連付けられたノッチ深度を決定することと、様々なノッチ深度用の複数の送信プロファイルの中から、前記ノッチ深度に少なくとも部分的に基づいて送信プロファイルを選択することと、前記選択された送信プロファイルを使用して信号を送信することとを備える。
【００２９】
[0029]  いくつかの実施形態では、前記方法は、前記送信プロファイルに基づいて時間領域内でパルス整形を実行することをさらに備える。
【００３０】
[0030]  いくつかの実施形態では、前記方法は、受信デバイスへの送信用に前記送信プロファイルを利用する前に、前記受信デバイスに前記選択された送信プロファイルを通信することをさらに備える。
【００３１】
[0031]  いくつかの実施形態では、前記選択された送信プロファイルを前記通信することは、送信フレームのフレームヘッダ内でインジケータを送信することを含み、ここにおいて、前記フレームヘッダは前記送信プロファイルを使用せず、前記送信フレームの本体は前記送信プロファイルを使用する。
【００３２】
[0032]  いくつかの実施形態では、ネットワークを介して信号を送信することに適した装置は、通信チャネルに関連付けられた周波数帯域の隣接する周波数サブバンド用の様々な電力レベルに関連付けられたノッチ深度を決定することと、様々なノッチ深度用の複数の送信プロファイルの中から、前記ノッチ深度に基づいて送信プロファイルを選択することとに適した送信適応モジュールと、前記選択された送信プロファイルを使用して信号を送信することに適した送信機とを備える。
【００３３】
[0033]  いくつかの実施形態では、前記送信適応モジュールは、前記送信プロファイルに基づいて時間領域内でシンボルタイミングを実行することに適する。
【００３４】
[0034]  いくつかの実施形態では、前記送信適応モジュールは、受信デバイスへの送信用に前記送信プロファイルを利用する前に、前記受信デバイスに前記選択された送信プロファイルを通信することに適する。
【００３５】
[0035]  いくつかの実施形態では、前記送信適応モジュールは、送信フレームのフレームヘッダ内でインジケータを送信することによって、受信デバイスに前記選択された送信プロファイルを通信することに適し、ここにおいて、前記フレームヘッダは前記送信プロファイルを使用せず、前記送信フレームの本体は前記送信プロファイルを使用する。
【００３６】
[0036]  添付の図面を参照することによって、本実施形態がよりよく理解され得るし、多数の目的、特徴、および利点が、当業者に明らかにされ得る。
【図面の簡単な説明】
【００３７】
【図１】[0037]  本開示の様々な例示的な実施形態による、動的な送信電力の割振りおよび送信プロファイルが使用され得る例示的なシステムを示す図。
【図２】[0038]  ネットワークを介して通信するための通信システムのブロック図。
【図３】[0039]  例示的な電力スペクトル密度制約を示す図。
【図４Ａ】[0040]  送信機の総電力能力に少なくとも部分的に基づく電力割振りを示す電力スペクトル密度図。
【図４Ｂ】送信機の総電力能力に少なくとも部分的に基づく電力割振りを示す電力スペクトル密度図。
【図５】[0041]  様々な送信機電力設定に少なくとも部分的に基づく信号のノッチおよび潜在的なＰＳＤの２つの例の図。
【図６】[0042]  本開示の概念が記載される例示的なメッセージフロー図の図。
【図７】[0043]  本開示の一実施形態による、動的な送信電力の適応を示す例示的なフローチャート。
【図８】[0044]  本開示の一実施形態による、送信電力割振りおよび／または送信プロファイル情報を通信するための例示的なメッセージフォーマットを描写する図。
【図９】[0045]  本開示の一実施形態による、ノッチ深度に少なくとも部分的に基づく送信プロファイルの選択を描写する図。
【図１０Ａ】[0046]  本開示の一実施形態による、様々な送信プロファイルに少なくとも部分的に基づく様々な直交周波数分割多重化（ＯＦＤＭ）シンボルタイミングを示すタイミング図。
【図１０Ｂ】本開示の一実施形態による、様々な送信プロファイルに少なくとも部分的に基づく様々な直交周波数分割多重化（ＯＦＤＭ）シンボルタイミングを示すタイミング図。
【図１１】[0047]  本開示の一実施形態による、選択された送信プロファイルを通信するための例示的なメッセージフォーマットを描写する図。
【図１２】[0048]  本開示の一実施形態による、選択された送信プロファイルを通信することを示す例示的なフローチャート。
【図１３】[0049]  様々な送信プロファイルの有効性を示す例示的な図。
【図１４】[0050]  本開示の様々な実施形態を実装することに適した電子デバイスの一実施形態の例示的なブロック図。
【発明を実施するための形態】
【００３８】
[0051]  以下の説明は、本発明の技法を具現化する、例示的なシステムと、方法と、 技法と、命令シーケンスと、コンピュータプログラム製品とを含む。しかしながら、記載される実施形態はこれらの具体的な詳細なしに実践され得ることを理解されたい。たとえば、いくつかの例は電力線通信用のための送信電力の適応および／またはパルス整形に言及し得るが、本開示によって教示される様々な調整技法は、ワイヤレス通信を含む他の通信技術に適用可能であり得る。他の事例では、説明を不明瞭にしないために、よく知られている命令インスタンス、プロトコル、構造、および技法は、詳細に示されていない。
【００３９】
[0052]  送信信号は、様々な周波数に関連付けられた電力を示す電力スペクトル密度（ＰＳＤ）に関連付けられ得る。直交周波数分割多重化（ＯＦＤＭ）技術では、ＯＦＤＭシンボルを通信するためにいくつかのキャリアが使用される。各キャリアは、チャネル状態またはＰＳＤ制約に少なくとも部分的に基づく様々な電力レベルを有し得る。たとえば、多くの通信システムは、どのような周波数でも使用され得る送信電力を規制が制限する環境において動作する。たとえば、ヨーロッパ内で動作する電力線通信デバイス用の電力を規制するために、（ＥＮ５０５６１−１と呼ばれる）新しい規制が最近可決されている。この規制により、いくつかのキャリア上の送信電力が増大することが許可されたが、電力線通信デバイスが送信することができる周波数レンジがさらに制限されている。
【００４０】
[0053]  他の要因がＰＳＤ制約に影響を及ぼす場合がある。たとえば、通信媒体のチャネル状態は、ＰＳＤ制約を引き起こす可能性がある。たとえば、通信システムは、チャネル品質推定値に少なくとも部分的に基づいてＰＳＤ制約を決定するために、プロトコルまたはアルゴリズムを利用することができる。信号内のいくつかのキャリア用の電力を制限するために、システムに課された制約またはデバイスに課された制約もＰＳＤ制約内で使用され得る。
【００４１】
[0054]  通信システムは、しばしば、ＰＳＤ制約の制限内の任意の許可された送信電力を利用するように設計される。送信電力レベルは、確保またはさもなければ規制された周波数レンジ内で制限されたままである。信号のＰＳＤ内のノッチは、ＰＳＤ制約に従って電力が削減される周波数または周波数のセットを指す。ノッチ深度は、（ノッチの外側の周波数用の）ノッチされていない信号電力レベルと、ノッチ内の周波数用のノッチされた信号電力レベルとの間の差を指す。送信電力レベルに応じて、ノッチ深度は変化し得る。したがって、信号のＰＳＤ内のノッチ深度は、ＰＳＤ制約、チャネル品質、または他の要因に依存し得る。送信を最適化するために、（たとえば、信号のＰＳＤによって定義された）様々な周波数用の送信電力とノッチ深度との間の関係が使用され得る。さらに、様々なＰＳＤまたはノッチ深度を実現するために、パルス整形が使用され得る。
【００４２】
[0055]  本開示は、通信システムの様々な特性値に対応するために、送信電力を適応させることおよび／または送信プロファイルを選択することのためのいくつかの機構を提供する。たとえば、送信機は、ノッチ深度、送信機の電力能力、通信チャネルの特定のキャリアに関して観測されるチャネル特性値、および／または選択されたパルス形状に関連付けられたＰＳＤロールオフに少なくとも部分的に基づいて、送信電力を適応させることができる。いくつかの実施形態では、これらの機構の様々な組合せが一緒に実装され得る。
【００４３】
[0056]  図１は、第１のデバイス１１０が通信媒体１１５を介して第２のデバイス１２０に通信可能に結合されているシステム１００を示す。一例では、通信媒体１１５は、電力線媒体上の電力線通信（ＰＬＣ）を利用することができる。他の代替では、通信媒体１１５は、受信デバイスにマルチキャリア伝送を搬送することが可能な、様々な有線媒体またはワイヤレス媒体であり得る。
【００４４】
[0057]  第１のデバイス１１０は送信デバイスと呼ばれる場合があり、第２のデバイス１２０は受信デバイスと呼ばれ得る。第１のデバイス１１０と第２のデバイス１２０の両方は、通信媒体１１５を介して信号を送信することと受信することの両方が可能であり得る。しかしながら、この図の例では、第１のデバイス１１０は、送信機の機能に集中させて送信デバイスと呼ばれる。第１のデバイス１１０は、通信媒体１１５を介する通信を調整する通信ユニット（図示せず）を含み得る。第１のデバイスは、送信（ＴＸ）チェーン１０８と送信機１０４とを含む場合があり、それらの各々は、第１のデバイス１１０の通信ユニットに含まれ得る。ＴＸチェーン１０８および送信機１０４は、図２においてさらに記載される。送信機１０４は、アンテナ、電気インターフェースなどの物理インターフェース（図示せず）を介して、通信媒体１１５に結合され得る。
【００４５】
[0058]  第１のデバイス１１０は、本開示の様々な特徴を実装するように構成された送信適応モジュール１０６を含む場合もある。たとえば、送信適応モジュール１０６は、ＴＸチェーン１０８または送信機１０４の電力設定、フィルタ、パルス整形、および／またはシンボルタイミングの構成を修正することができる。いくつかの実装形態では、送信適応モジュール１０６は、送信適応設定に関して第２のデバイス１２０に通知するために、メッセージまたはメッセージの一部が第２のデバイス１２０に送られるようにすることができる。たとえば、送信適応モジュール１０６は、電力割振り、シンボルタイミング、または他の送信プロファイル情報に関して第２のデバイス１２０に通知することができる。第１のデバイス１１０および第２のデバイス１２０は、様々な通信プロトコルのうちのいずれかを使用して互いに通信することができる。
【００４６】
[0059]  図１において、第２のデバイス１２０は、通信媒体１１５に第２のデバイス１２０を結合するための受信機１２４を含む。第２のデバイス１２０はまた、受信（ＲＸ）チェーン１２８と適応ヘルパーモジュール（adaptation helper module）１２６とを含む。ＲＸチェーン１２８および受信機１２４は、図２においてさらに記載される。適応ヘルパーモジュール１２６は、本開示の様々な特徴を実装するように構成され得る。
【００４７】
[0060]  図１の特徴を記述して、第１のデバイス１１０から第２のデバイス１２０への送信に関するいくつかの概念が次に記載される。本開示の一実施形態によれば、通信デバイスは、送信機１０４と受信機１２４との間の通信媒体１１５のチャネル状態に少なくとも部分的に基づいて、送信機において利用される送信電力スペクトル密度（ＰＳＤ）を適応させることができる。たとえば、信号対雑音比（ＳＮＲ：signal-to-noise ratio）または減衰などのチャネル状態情報に少なくとも部分的に基づいて、送信電力が適応され得る。一例では、チャネル状態（たとえば、ＳＮＲ値）が検出され、周波数サブバンドのグループ化を識別するために使用され得る。通信デバイスはさらに、送信機のアナログフロントエンド（ＡＦＥ：analog front end）の動的電力範囲に基づいて、送信ＰＳＤを適応させることができる。ＡＦＥ電力能力は、様々なＰＳＤレベルにおいて信号品質に影響を及ぼす可能性がある。たとえば、電力がバックオフされるとき、高電力キャリアと低電力キャリアとの間の分離が低減される場合があり、低電力キャリアについての高いＳＮＲをもたらす。
【００４８】
[0061]  通常、第２のデバイス１２０は、第１のデバイス１１０から信号を受信し、通信媒体１１５に関連付けられた様々なキャリアに関連するチャネル状態を決定する。チャネル品質は、キャリアごとに定期的に推定される。信号を介する（たとえば、周波数を介する）送信の品質の測定値として使用され得るインジケータは、信号対雑音比（ＳＮＲ）または信号対干渉雑音比（ＳＩＮＲ：signal-to-interference-plus-noise）を含む。ＳＩＮＲ用の式はＰ／（Ｉ＋Ｎ）として定義される場合があり、ここでＰは受信電力を表し、Ｉは他の同時送信の干渉電力を表し、Ｎは（背景雑音または断続雑音などの）雑音を表す。しばしば、「雑音（noise）」は、干渉ならびに背景雑音または断続雑音を含むように定義される。したがって、信号対雑音比を測定するとき、測定値は、いくつかのシステムでは互換的にＳＮＲまたはＳＩＮＲと呼ばれ得る。ＳＮＲは、送信信号を解釈する受信機の能力と相関するので、信号を介する送信の品質の測定値として使用される。チャネル状態を定義することができる別の測定値はチャネル減衰である。いくつかの実施形態では、送信ＰＳＤは、チャネル減衰を考慮して調整され得る。
【００４９】
[0062]  第２のデバイス１２０は、チャネル状態を分析し、トーンマップ（tone map）（または複数のトーンマップ）を準備し、第１のデバイス１１０にトーンマップを送ることができる。第１のデバイス１１０は、第２のデバイス１２０への次の送信においてトーンマップを利用するように構成され得る。（たとえば、トーンマップに含まれる）物理レイヤ送信特性は、データを送信するためにどのキャリアが使用されるか、ならびにキャリアごとに使用されるべき変調およびエラー訂正コーディングのタイプを示す。そのため、トーンマップは、特定の周波数についてのチャネル品質およびスループット能力に少なくとも部分的に基づき得る。たとえば、チャネル品質推定プロセスは、通信媒体１１５に関連付けられた周波数ごとに可能な最大送信レートを決定するために使用され得る。代替として、いくつかの通信システムでは、すべてのキャリアに同じ変調およびエラー訂正コーディングが使用され得る。トーンマップ、またはチャネル状態に関するチャネル品質フィードバックは、どのキャリアが他のキャリアよりも良い品質であるかに関する第１のデバイス１１０への良好なインジケータであり得る。
【００５０】
[0063]  第１のデバイス１１０は、マルチキャリア伝送において各キャリアに関連付けられた変調およびコーディング方式（ＭＣＳ：modulation and coding scheme）を設定するために、トーンマップ（または他の物理レイヤ送信特性）を利用するように構成され得る。ＭＣＳに加えて、第１のデバイス１１０は、振幅マップ（amplitude map）に従って各キャリアに関連付けられた電力レベルを管理することもできる。振幅マップは、キャリアまたはキャリアのグループごとに使用される電力の相対量を定義することができる。たとえば、一実施形態では、振幅マップは、キャリア用の相対電力レベルを示すためにキャリアごとの単一の値（たとえば、最大電力レベルまたはベースライン電力レベルから−３０ｄＢ削減された電力レベルを有するキャリア用の「−３０」）を含み得る。送信信号の電力スペクトル密度ＰＳＤは、特定の周波数用の電力レベルを記述するために使用され得る。経験的に、特定の信号のＰＳＤは、スペクトル分析器などを用いて測定され得るか、または、たとえば、振幅マップ（電力レベル）、パルス形状、シンボルタイミング、ガード間隔、および／もしくは送信信号の他の特性値に少なくとも部分的に基づいて、決定（たとえば、計算）され得る。
【００５１】
[0064]  次に送信適応モジュール１０６を参照すると、信号の目標ＰＳＤは、（チャネル状態、振幅マップ、トーンマップ、および／または規制上のＰＳＤ制限を含む）様々なＰＳＤ制約に少なくとも部分的に基づいて、動的に作成され得る。送信適応モジュール１０６は、メモリ、ロジック、または、ＰＳＤ制約を満足する目標ＰＳＤを決定するために使用されるべき様々なＰＳＤ制約を決定する他の機構を含み得る。本開示に記載されたように、ＰＳＤ制約は、規制要件、通信媒体１１５の品質、および／または様々な送信プロファイルに関連するＰＳＤロールオフ（roll-off）に少なくとも部分的に基づく制約を含み得る。送信プロファイルは、図９および図１０Ａ〜図１０Ｂにおいてさらに記載される。
【００５２】
[0065]  一実施形態では、送信適応モジュール１０６は、送信機１０４に関連付けられた総電力能力を考慮に入れる場合もある。いくつかの通信システムでは、送信機１０４は、通信デバイスの統合型アナログフロントエンド（ＡＦＥ）の一部として含まれ得る。しかしながら、電力増幅器の制限、送信機能力、ダイナミックレンジ、および構成要素の制限などのＡＦＥの特性値に応じて、ＡＦＥは、通信媒体内のキャリア周波数のうちの多くでフル送信電力レベルを実現することができない場合がある。たとえば、ＡＦＥは１ワットの電力に制限され得る。いくつかの通信システムでは、キャリアに許可される最高の電力で送信することは、制限された総電力能力のより多くの量を消費し、他のキャリアに割り振られるべき利用可能な電力を少ししか残さないので、むしろ効率的ではない場合がある。いくつかの実装形態では、通信デバイスのアナログフロントエンドは、送信においてより多くの数のキャリアが使用され得るように、周波数のグループ用のより低い電力レベルしか利用しない場合がある。送信適応モジュール１０６は、送信用の目標ＰＳＤに適応させるためにＡＦＥの総電力能力を利用することができる。ＡＦＥの総電力能力に少なくとも部分的に基づいてＰＳＤを適応させる一例は、図４Ａ〜図４Ｂにおいてさらに記載される。複数のキャリアの中の電力の分配（または割振り）は、通信チャネルのより良い全体的なスループットと利用率とを提供することができる。
【００５３】
[0066]  電力割振りは、ＡＦＥの量子化誤差とダイナミックレンジとを考慮に入れ得ることを理解されたい。たとえば、電力レベルの範囲が大きいと、より高い量子化誤差が発生する場合があり、電力レベルの範囲を削減すると、量子化誤差が減少し得る。電力を割り振るための技法は、ＡＦＥのダイナミックレンジならびにシンボル送信における様々な周波数用の電力レベル間の差のしきい値を考慮し得る。
【００５４】
[0067]  一実施形態では、送信適応モジュール１０６は、ＡＦＥの総電力能力からＰＳＤに電力を割り振ることができる。たとえば、送信適応モジュール１０６は、通信媒体１１５に関連付けられた周波数サブバンドを定義することに適し得る。周波数サブバンドは、（たとえば、ＰＳＤ制約に起因して）ノッチされた周波数に関連付けられた１つまたは複数の周波数サブバンドを含み得る。１つまたは複数の周波数サブバンドは、不十分な品質のキャリア用の電力が他の周波数サブバンドへの電力割振りとは別に制御され得るように、不十分な品質のキャリア（すなわち、しきい値を下回るチャネル品質）を隔離するために定義され得る。一実施形態では、送信適応モジュール１０６は、周波数サブバンドを定義するために、第２のデバイス１２０によって提供されるトーンマップまたはチャネル品質インジケータ（たとえば、ＳＮＲ測定値）を利用することができる。送信適応モジュール１０６は、送信機１０４に関連付けられた総電力能力の部分を周波数サブバンドに割り振るために、定義された周波数サブバンドを使用することができる。
【００５５】
[0068]  本開示によれば、電力割振りマップは、送信機１０４を介して送信適応モジュール１０６により、受信機１２４を介して適応ヘルパーモジュール１２６に通信され得る。電力割振りマップは、送信機振幅マップまたは電力スペクトル分配マップと呼ばれ得る。電力割振りマップは、送信用に送信適応モジュール１０６によって割り振られた様々なキャリアに関連付けられた電力レベルについての情報を含み得る。一実施形態では、第１のデバイス１１０は、第２のデバイス１２０への送信の第１の部分（たとえば、ヘッダまたはプリアンブル）に電力割振りマップを含める。
【００５６】
[0069]  送信適応モジュール１０６が目標ＰＳＤを定義するために利用できる別の要因は、特定の周波数サブバンド用のノッチ深度（notch depth）である。送信適応モジュール１０６は、送信プロファイル向けに最適化されたしきい値範囲内のノッチ深度を制御するために、特定の周波数用に電力を調整することができる。送信プロファイルは、シンボル送信において使用される様々な周波数において使用される電力を形成するために使用される。各送信プロファイルは、様々なＰＳＤロールオフ特性値に関連付けられ得る。本開示によれば、第１のデバイス１１０は、特定の目標ＰＳＤ用のノッチ深度に少なくとも部分的に基づいて、様々な送信プロファイルを選択することが可能であり得る。通常、目標ＰＳＤが最初に決定され得るが、送信適応モジュール１０６は、送信プロファイルのうちの１つに最適な範囲内のノッチ深度を制御するために、電力レベルを調整することができる。
【００５７】
[0070]  パルス形状は、送信されたパルスの波形を変更するパルス整形プロセスを指す。一実施形態では、パルス整形（pulse shaping）は、スペクトル漏洩（spectral leakage）を管理するシンボルの重複および遷移中の時間領域整形と、周波数領域内の整形とを指す。隣接するシンボルの重複エリアの長さの変更および遷移間隔の整形により、様々な周波数領域のノッチ深度レベルがもたらされる。別の実施形態では、パルス整形は、正弦波キャリアごとの電力の修正を指す。本開示によれば、パルス整形は、特定のノッチ深度用のパルステーパリング（pulse tapering）またはＰＳＤロールオフを最適化するために使用され得る。
【００５８】
[0071]  送信プロファイルは、パルス整形設定および／またはシンボルタイミング情報を含む場合がある。送信プロファイルは、図９および図１０Ａ〜図１０Ｂにおいてさらに記載される。本開示によれば、送信プロファイルは、ノッチ深度に少なくとも部分的に基づいて選択され得る。たとえば、ノッチ深度は、目標ＰＳＤに少なくとも部分的に基づいて、送信適応モジュール１０６によって決定され得る。ノッチ深度は、ノッチ深度に適しているＰＳＤロールオフ特性値を生成するパルス形状を選択するために使用され得る。通常、送信プロファイルは、普通に発生するノッチ深度（たとえば、ある電力レベルからノッチされた電力レベルまでの３０ｄＢの電力変化）のために使用され得る。しかしながら、本開示によれば、複数の送信プロファイルは、各送信ファイルが様々なノッチ深度向けに最適化され得るように使用され得る。第１のデバイス１１０は、様々なノッチ深度向けに最適化された複数の選択可能な送信プロファイルを保持することができる。各送信プロファイルは、シンボル送信間の遅延を管理することに関連するガード間隔長（guard interval length）を有する場合もある。一実施形態では、各選択可能な送信プロファイルは、（遷移間隔、ロールオフ間隔、ガード間隔、または他の特性値などの）ＯＦＤＭシンボルタイミングに対する変更に関連付けられる場合もある。
【００５９】
[0072]  送信適応モジュール１０６は、特定の周波数サブバンドに関連付けられたノッチ深度を決定し、ノッチ深度に少なくとも部分的に基づいて、適切な送信プロファイルを選択することができる。たとえば、ノッチ深度が３０ｄＢであるときに第１の送信プロファイルが使用される場合があり、ノッチ深度が４０ｄＢであるときに第２の送信プロファイルが使用され得る。送信信号は、特定の送信プロファイルに関連付けられたより良いＰＳＤロールオフに起因して、ノッチの外側の隣接する周波数においてより多くの電力を含むように、送信適応モジュール１０６によって最適化され得る。
【００６０】
[0073]  本開示によれば、送信プロファイルについての情報は、第１のデバイス１１０から第２のデバイス１２０に通信され得る。第２のデバイス１２０は、第１のデバイス１１０からの送信を受信するために、送信プロファイル情報を利用することができる。送信プロファイルおよび電力割振りマップについての情報は、同じメッセージ内、または別々のメッセージ内で通信され得る。送信プロファイルおよび／または電力割振りマップについての情報は、送信の第２の部分において使用される送信プロファイルおよび／または電力割振りマップを示すために、（プリアンブルまたはヘッダなどの）送信の第１の部分に含まれ得る。
【００６１】
[0074]  図２は、通信媒体２０４を介して受信機装置２０６に信号（たとえば、一連のＯＦＤＭシンボル）を送信するための送信機装置２０２を含む通信システム２００のブロック図である。送信機装置２０２および受信機装置２０６は、両方とも各デバイス（たとえば、第１のデバイス１１０および第２のデバイス１２０）においてネットワークインターフェースモジュールに組み込まれ得る。通信媒体２０４は、有線ネットワークまたはワイヤレスネットワーク上の、あるデバイスから別のデバイスへの通信チャネルを表すことができる。
【００６２】
[0075]  送信機装置２０２において、物理（ＰＨＹ：physical）レイヤを実装するモジュールは、媒体アクセス制御（ＭＡＣ：media access control）レイヤからＭＡＣレイヤプロトコルデータユニット（ＭＰＤＵ：MAC layer protocol data unit）を受信することができる。ＭＰＤＵは、スクランブリングと、エラー訂正コーディングと、インターリービングとを含み得る処理を実行するために、符号化モジュール２２０に送られる。符号化されたデータはマッピングモジュール２２２に供給され、マッピングモジュール２２２は、現在のシンボルに使用されるコンスタレーション（constellation）（たとえば、ＢＰＳＫ、ＱＰＳＫ、８−ＱＡＭ、１６−ＱＡＭコンスタレーション）に応じてデータビットのグループ（たとえば、１、２、３、４、６、８、または１０ビット）を取り出し、それらのビットによって表されるデータ値を、現在のシンボルのキャリア波形の同相（Ｉ）成分および直交位相（Ｑ）成分の対応する振幅上にマッピングする。代替として、データ値を変調されたキャリア波形に関連付ける任意の適切なマッピング方式が使用され得る。マッピングモジュール２２２はまた、トーンマップに従って、キャリア（または「トーン」）の各々で使用されるべき変調のタイプを決定することができる。トーンマップは、デフォルトのトーンマップ、または受信機装置２０６によって決定されるカスタマイズされたトーンマップであり得る。
【００６３】
[0076]  マッピングモジュール２２２は、情報を送信するために、通信チャネル内のキャリア周波数ｆ1、．．．、ｆNのうちのどのキャリア周波数がシステム２００によって使用されるかを決定するように構成される場合もある。通信媒体２０４上でそれを用いて信号が送信される電力レベルは、トーンマップまたは振幅マップに含まれる場合もある電力レベル調整値（たとえば、利得または減少量）に関連付けられ得る。本開示によれば、（送信適応モジュール１０６に類似する）送信適応モジュール２４５は、本明細書に記載される技法に少なくとも部分的に基づいて、様々なグループの周波数用に電力レベルを調整することができる。送信適応モジュール２４５は、信号の目標ＰＳＤを決定するために、アナログフロントエンド（ＡＦＥ：analog front end）モジュール２２８からの情報、トーンマップ、ＰＳＤ制約、ＳＮＲフィードバック、または他の要因を利用することができる。送信適応モジュール２４５は、そのマッピングモジュール２２２においてキャリアの電力レベルを調整するために、目標ＰＳＤを利用することができる。
【００６４】
[0077]  変調モジュール２２４は、ピーク周波数ｆ1、．．．、ｆNを有するＮ個の直交キャリア波形上への、マッピングモジュール２２２によって決定されたＮ個の複素数の得られたセット（そのうちのいくつかは未使用のキャリアのための０であり得る）の変調を実行する。変調モジュール２２４は、離散時間シンボル波形を形成するために、逆離散フーリエ変換（ＩＤＦＴ）を実行する。一例では、マッピングモジュール２２２からのデータは、８１９２点の逆高速フーリエ変換（ＩＦＦＴ）を使用してサブキャリア波形上に変調され、ＯＦＤＭシンボルの一部を構成する８１９２個の時間サンプルをもたらす。得られた時間サンプルは時間領域内にあるが、ＩＤＦＴへの入力は周波数領域内にある。
【００６５】
[0078]  いくつかの実施形態では、送信適応モジュール２４５は、（ガード間隔、遷移間隔、または他のシンボルタイミングの特徴などの）シンボルタイミング情報に関連している送信プロファイルを選択することができる。送信適応モジュール２４５は、選択された送信プロファイルに関連付けられたシンボルタイミング情報に少なくとも部分的に基づいて、変調モジュール２２４を構成することができる。送信プロファイルは、パルス整形情報を有する場合もある。シンボルタイミングおよびパルス整形は送信プロファイルを最適化するために調整され得ることを理解されたい。
【００６６】
[0079]  後処理モジュール２２６は、一連の連続する（潜在的に重複する）シンボルを、通信媒体２０４を介して連続ブロックとして送信され得る「シンボルセット（symbol set）」に組み合わせる。後処理モジュール２２６は、自動利得制御（ＡＧＣ）およびシンボルタイミング同期に使用され得るシンボルセットに、プリアンブルをプリペンドする。（たとえば、システム２００および／または通信媒体２０４における欠陥に起因する）シンボル間およびキャリア間の干渉を緩和するために、後処理モジュール２２６は、各シンボルの最後の部分のコピーであるサイクリックプレフィックス（cyclic prefix）を用いて、そのシンボルを拡張することができる。たとえば、８１９２個の時間サンプルの末端からの時間サンプルの一部分は、ＯＦＤＭシンボルの先頭におけるサイクリックプレフィックスとしてコピーされ得る。後処理モジュール２２６は、（たとえば、時間領域内のパルス整形フィルタを使用して）シンボルに対するパルス整形を実行することもできる。
【００６７】
[0080]  送信適応モジュール２４５は、複数の送信プロファイルを管理するために使用され得る。選択される送信プロファイルは、周波数の２つの隣接するグループに関連付けられたノッチ深度に少なくとも部分的に基づいて、選択され得る。送信プロファイルは、パルス整形および／またはシンボルタイミングに関連付けられ得る。送信適応モジュール２４５は、（たとえば、周波数領域内または時間領域内の）ＩＤＦＴ計算の前または後のいずれかで、パルス整形フィルタリングを適用することができる。
【００６８】
[0081]  一実施形態では、パルス整形は後処理モジュール２２６において実行され得る。パルス整形は、時間領域または周波数領域において適用され得る。たとえば、パルス整形は、送信用にパルス整形されたＯＦＤＭ時間サンプルを生成するために、変調モジュール２２４の出力における各時間サンプルをパルス整形ウィンドウ（pulse-shaping window）からの値と乗算することを含む場合がある。一実施形態では、パルス整形は、シンボル全体を同じ長さのパルス整形ウィンドウと乗算することによって、時間領域のＯＦＤＭシンボルの前と後とをテーパリングすることを伴い、前のテーパは０から１に傾斜する値を有し、時間領域サンプルの大部分は（１と乗算されて）変わらずに残され、ＯＦＤＭシンボルの末端は１から０に下降する値によって乗算される。図１０は、各ＯＦＤＭシンボルの末端におけるテーパリングを示す。通常、テーパリングされた部分は、テーパリングの後で隣接するシンボルと重複され得る。他の実装形態では、パルス整形は、変調モジュール２２４の出力において時間領域サンプルにフィルタを適用することによって、実現され得る。
【００６９】
[0082]  様々な方法でシンボル用の時間サンプルをフィルタリングすることによって、シンボル間干渉は調整または制御され得る。たとえば、変調レートが増大するにつれて、信号の帯域は増大し得る。シンボル帯域がチャネル帯域よりも大きくなると、チャネルは信号にひずみを発生させる場合がある。このひずみは、通常、シンボル間干渉として検出される。送信プロファイルは、パルス整形、ならびに（シンボル間ガード間隔（intersymbol guard interval）とも呼ばれる）シンボル間のガード間隔長を調整することができる。
【００７０】
[0083]  アナログフロントエンド（ＡＦＥ）モジュール２２８は、シンボルセットの連続時間（たとえば、低域フィルタ処理された）バージョンを含んでいるアナログ信号を通信媒体２０４に結合する。いくつかの実施形態では、ＡＦＥモジュール２２８は、統合型フロントエンド増幅器と呼ばれ得る。ＡＦＥモジュール２２８は、それが出力することができる総電力能力限界を有し得る。送信適応モジュール２４５は、ＡＦＥモジュール２２８に関連付けられた総電力能力を決定し、本開示に記載される電力割振りにおける要因として総電力能力を使用することができる。一緒に、エンコーダモジュール２２０、マッピングモジュール２２２、変調モジュール２２４、後処理モジュール２２６、およびＡＦＥモジュール２２８は、ＴＸチェーンおよび送信機と呼ばれ得る。
【００７１】
[0084]  受信機装置２０６において、ＰＨＹレイヤを実装するモジュールが通信媒体２０４から信号を受信し、ＭＡＣレイヤ（図示せず）のためのＭＰＤＵを生成することができる。ＡＦＥモジュール２３０は、シンボル処理モジュール２３６に受信信号を送るために、自動利得制御（ＡＧＣ）モジュール２３２とともに動作することができる。シンボル処理モジュール２３６は、サンプリングされた信号データを生成するために、時間同期モジュール（time synchronization module）２３４を使用することができる。シンボル処理モジュール２３６は、サンプリングされた受信波形を複素数の形式で周波数領域内に変換するために、離散フーリエ変換（ＤＦＴ）機能を含む場合もある。受信機装置２０６も、信号を生成し送信することに使用されるトーンマップを知っている場合があることを理解されたい。したがって、ＡＧＣモジュール２３２は、トーンマップの一部として含まれた電力レベル調整値を考慮に入れるように構成される場合もある。いくつかの実施形態では、ＡＧＣモジュール２３２は、送信機装置２０２の送信適応モジュール２４５によって提供される電力割振りマップに少なくとも部分的に基づいて、利得を調整するように構成される場合もある。時間同期モジュール２３４および／またはシンボル処理モジュール２３６は、送信された情報の検出を改善するために、送信機装置２０２の送信適応モジュール２４５によって提供される情報を利用することもできる。たとえば、送信プロファイルは、シンボルの検出を支援するために、時間同期モジュール２３４によって使用されるガード間隔長に関連付けられ得る。適応ヘルパーモジュール２５５は、送信機装置２０２の送信適応モジュール２４５からメッセージを受信するように構成され得る。適応モジュール２５５は、送信機装置２０２の送信適応モジュール２４５から受信された電力および／または送信プロファイル情報に少なくとも部分的に基づいて、受信機装置の構成要素の構成要素を構成することができる。
【００７２】
[0085]  復調器／デコーダモジュール２３８は、複素数を対応するビットシーケンスにマッピングし、（デインターリーブと逆スクランブルとを含む）それらのビットの適切な復号を実行する。一緒に、ＡＦＥモジュール２３０、ＡＧＣモジュール２３２、時間同期モジュール２３４、シンボル処理モジュール２３６、および復調器／デコーダモジュール２３８は、受信機およびＲＸチェーンと呼ばれ得る。ＲＸチェーンはイコライザ、フィルタなどの他の構成要素（図示せず）を含み得ることを理解されたい。
【００７３】
[0086]  送信機装置２０２または受信機装置２０６内のモジュールを含む通信システム２００のモジュールのいずれも、ハードウェア、ソフトウェア、またはハードウェアとソフトウェアの組合せに実装され得る。
【００７４】
[0087]  図３は、例示的な電力スペクトル密度（ＰＳＤ）制約３００を示す。ＰＳＤ制約３００は、例示的な通信システム用の最大許容送信電力の例示的な分配を表す。この例では、周波数帯域は、ｆ1〜ｆ2の第１の周波数サブバンド３０１と、ｆ2〜ｆ3の第２の周波数サブバンド３０２と、ｆ3〜ｆ4の第３の周波数サブバンド３０３とを含む。図３の例では、各周波数サブバンドは平坦なＰＳＤに関連付けられる。他のＰＳＤ制約では、最大電力送信は周波数に対して直線的に変化し得る。一般に、ＰＳＤ制約は、異なる周波数において異なり、所与の周波数サブバンドに対するＰＳＤ制約を一緒に定義することができる。
【００７５】
[0088]  いくつかの通信システムの場合、米国における連邦通信委員会（ＦＣＣ：Federal Communications Commission）などの規制当局は、（放射、伝導、または他の）放出限界を規定し、放出限界はデバイスから送信される電力に制限を課す。通常、通信機器の製造業者は、規制上の制限から最大許容ＰＳＤ制約を導出する。ＰＳＤ制約３００は、規制上の制限に少なくとも部分的に基づく最大許容制限を有するＰＳＤマスクの一例である。ＰＳＤ制約３００は、北米内のある特定の周波数帯域（この例では０〜１００ＭＨｚ）についての規制を満たすように、電力線通信システム用の最大許容ＰＳＤを表すことができる。この例では、送信電力限界は、第１の周波数帯域３０１において−５０ｄＢｍ／Ｈｚに実質的に等しく、第２の周波数帯域３０２において−８０ｄＢｍ／Ｈｚに実質的に等しい。例が周波数帯域０〜１００ＭＨｚを示すけれども、電力線通信システムなどの通信システムは、１００ＭＨｚを超える帯域を含む他の周波数帯域において動作することができる。
【００７６】
[0089]  いくつかの実装形態では、所与の周波数用の最大許容電力（またはＰＳＤ限界）において送信すると、その周波数についての最良のスループットがもたらされる。しかしながら、いくつかの実装形態では、その周波数用の最大許容レベルよりも小さいレベルにＰＳＤを削減することが望ましい場合がある。たとえば、図３の周波数サブバンド３０１と３０２に関連付けられた最大送信電力における差を考える。周波数レンジ全体にわたり、各帯域内の最大許容レベルを使用する広帯域信号を発生させるために、同じハードウェア、たとえば単一のデジタルアナログ変換器が送信機において使用される場合、第２の周波数サブバンド３０２内の信号は、第１の周波数サブバンド３０１内の信号よりも少ない離散レベルを用いて表される。次に、これにより、第２の周波数サブバンド３０２において、量子化雑音が高くなり、信号についての忠実度が制限される結果になる。場合によっては、振幅にかかわらず、信号がデジタルアナログ変換器の入力範囲全体にわたるように変換器の入力においてスケーリングされると、量子化雑音が増幅される可能性がある。アナログの受信信号をデジタルレベルに変換する受信変換器においても、同じ原理が適用される。いくつかの実装形態では、増大された量子化雑音に起因して起こるエラーは、第１の周波数サブバンド３０１内の電力またはＰＳＤを削減することによって緩和され得る。第１の周波数サブバンド３０１のＰＳＤにおけるそのような減少により、第２の周波数サブバンド３０２のＰＳＤとの差が低くなり、それにより、量子化雑音の影響が低減される。たとえば、ＰＳＤの差が６ｄＢだけ削減された場合、第２の周波数サブバンド３０２における量子化雑音は半分になる。言い換えれば、ネットワークの２つのノード間の通信チャネルに応じて、ある周波数帯域内の最大電力からの減少は、別の周波数帯域用の変換器における忠実度に対する利得を与えることができる。
【００７７】
[0090]  いくつかの通信では、ＰＳＤ制約は、同じまたは同様の周波数を利用する２つ以上の通信技術の共存に少なくとも部分的に基づく制約を含み得る。特定の周波数用の送信電力を制限すると、２つ以上のネットワークが、互いとの不合理な干渉を引き起こさずに、同じ周波数割振りを利用することが可能になり得る。たとえば、電力線ネットワークは、２〜３０ＭＨｚの範囲の周波数帯域を利用することができる。一方、別のネットワークまたは技術は、電力線周波数帯域と重複する特定の周波数を使用することができる。たとえば、北米では、現在、そうでない場合電力線通信に関連付けられた２〜３０ＭＨｚ帯域を共有する、ほぼ１０個の特定の周波数レンジ（すなわち、確保された周波数レンジ）が存在する。したがって、電力線通信デバイスは、確保されたサブバンド用の送信電力スペクトル密度（ＰＳＤ）を削減するように構成される。
【００７８】
[0091]  特定の周波数サブバンドの電力を削減する別の理由は、通信チャネルによってサポートされる周波数にわたってより均等な電力の割振りを支援することである。たとえば、送信機は、送信機によってサポートされる総電力能力を有し得る。特定の周波数サブバンド用の電力を削減することによって、総電力の部分は他の周波数に再分配されるか、または割り振られ得る。総電力の部分の割振りにより、より多くの周波数が送信に含まれることが可能になる場合があるか、または他の周波数よりも良好なチャネル状態に関連付けられた周波数により高い電力が供給され得る。
【００７９】
[0092]  図４Ａ〜図４Ｂは、例示的なＰＳＤ制約と関連する目標ＰＳＤとを示す。図４Ａにおいて、ＰＳＤチャート４００は、第１のＰＳＤ制約４１０と第２のＰＳＤ制約４２０とを示す概念図である。たとえば、第１のＰＳＤ制約４１０は、規制上の制約に関連付けられ得る。第２のＰＳＤ制約４２０は、チャネル状態に関連付けられ得る。第１のＰＳＤ制約４１０および第２のＰＳＤ制約４２０は、概念図において別々のラインとして描写されているが、送信適応モジュールがそれらを組み合わされたＰＳＤ制約として扱うことができることを理解されたい。送信機は、第１のＰＳＤ制約４１０および第２のＰＳＤ制約４２０のうちの低い方の下に様々なキャリアの電力を保つように構成され得る。
【００８０】
[0093]  ＰＳＤチャート４００では、第１の目標ＰＳＤ４３０は、第１のＰＳＤ制約４１０および第２のＰＳＤ制約４２０に少なくとも部分的に基づいて、送信機が使用する可能性がある１つの例示的な目標ＰＳＤを表す。図４Ａは、ＡＦＥモジュールが関連する総電力能力を有し得る一例を示す。４３６において示されるように、第１の目標ＰＳＤ４３０は、ＡＦＥモジュールの電力制限に起因して、周波数のサブセット用のより少ない電力を利用することができる。代替として、送信適応モジュールは、４３６と隣接する周波数との間のノッチ深度を減少させるために、４３６における送信電力を意図的に低下させることができる。
【００８１】
[0094]  図４Ｂは、類似する第１のＰＳＤ制約４１０と第２のＰＳＤ制約４２０とを有する別のＰＳＤチャート４０１を示す。しかしながら、第２の目標ＰＳＤ４４０は、送信機が使用する可能性がある別の例示的な目標ＰＳＤを示す。第２の目標ＰＳＤ４４０では、送信適応モジュールは、ＡＦＥモジュールの総電力能力を考慮に入れ、より良いスループットを与えるために電力を再割振りすることができる。たとえば、送信適応モジュールは、電力が（４４６において示された）より良い実行周波数に再割振りされ得るように、不十分な品質または使用不可能と考えられるいくつかのノッチされた周波数の（４４４において示された）電力を削減することができる。
【００８２】
[0095]  電力割振りを決定するために送信適応モジュール１０６によって使用される多くのアルゴリズムが存在し得る。たとえば、１ワットの総電力出力と５つの周波数サブバンドとをサポートする送信機を考える。このシナリオでは、周波数サブバンドは等しいサイズであり得る。送信適応モジュール１０６は、（他のＰＳＤ制約を超えずに）５つの周波数サブバンドの各々に対する電力の割振りを最適化することができる。たとえば、送信適応モジュール１０６は、個別の周波数サブバンドの各々に関連付けられたチャネル品質特性値を利用することができる。送信適応モジュールは、周波数サブバンドの各々に関連付けられたチャネル品質情報に少なくとも部分的に基づいて、以下の電力割振り方式から選ぶことができる。
・５つの周波数帯域の各々に０．２Ｗの電力を割り振る。
・５つの周波数帯域のうちの４つに０．２５Ｗの電力を割り振る。
・５つの周波数帯域のうちの３つに０．３３３Ｗの電力を割り振る。
・各周波数帯域内の電力が別の周波数帯域に割り振られた電力に等しい場合も等しくない場合もある、５つの周波数帯域の中の電力の他の何らかの分割。
【００８３】
[0096]  電力割振り方式の各々は、特定の通信チャネルに有用であることを証明することができる。たとえば、通信チャネルがすべての周波数にわたって良好である場合、送信適応モジュールは、周波数帯域の各々に（０．２Ｗの）等しい電力を割り振る第１の電力割振り方式を使用することができる。電力線チャネルは、しばしば、１つまたは複数の周波数サブバンドが、それらをデータ通信に対して実行不可能にさせるディープフェード（deep fade）に遭遇する可能性がある、周波数選択性挙動（frequency selective behavior）を有する。または、チャネルは、受信機において雑音を受ける可能性があり、その雑音は１つまたは複数の周波数サブバンドに不相応に影響を及ぼす可能性がある。これらの場合、送信適応モジュールは、フェージングに遭遇せず、強い雑音に遭遇しない周波数サブバンドにより多くの送信電力を割り振ることができ、フェージングまたは強い雑音に遭遇する周波数サブバンドにより少ない電力しか（または全く電力を）割り振らない。
【００８４】
[0097]  図５は、信号のＰＳＤとノッチ深度との間の関係を示す概念図５００である。図５において、ＰＳＤ制約５１０はノッチ５０５を有する。図５における例示は、大いに誇張されており、隣接する周波数に対するノッチ５０５の関係に読む人の注意を集中させるために簡略化されていることを理解されたい。ＰＳＤ制約５１０は、その中でＦ３〜Ｆ６の周波数がノッチされた周波数であるように示される。例示的なＰＳＤ制約５１０では、ノッチされた周波数は、ノッチされた電力レベル５１４よりも大きくない電力に制限される。ノッチに含まれない周波数、たとえば、周波数５０７（Ｆ１〜Ｆ３）において、ＰＳＤ制約は最大電力レベル５１２を可能にする。
【００８５】
[0098]  ＰＳＤ制約５１０は、規制要件に少なくとも部分的に基づき得る。代替として、ＰＳＤ制約は、ＳＮＲの結果としてノッチ、またはノッチされた周波数に関係する他のフィードバックを含む場合がある。たとえば、ノッチされた周波数についてのチャネル状態が不十分なので、信号が受信機によって確実に検出されない場合、送信機は、不十分な実行周波数向けの送信を防止する（したがって、他の周波数に割り振るために電力を節約する）ことをノッチに課するために、（周波数Ｆ３〜Ｆ６用の）周波数サブバンドを作成することができる。送信機は、送信機の総電力出力が制限されるいくつかの実施形態ではノッチを課すことができ、ノッチは、他の周波数サブバンドに再割振りされるために、（ノッチからの）電力節約を可能にする。
【００８６】
[0099]  図５は、電力レベルおよびパルス形状の選択に対するノッチ深度の影響を示すために使用される。いくつかの実装形態では、ノッチ深度が大きいと使用可能なキャリアの損失がもたらされる可能性がある。図５において、２つの異なる潜在的な目標ＰＳＤ（第１のＰＳＤ５３０および第２のＰＳＤ５５０）を使用して信号が示される。第１のＰＳＤ５３０は、第２のＰＳＤ５５０よりも大きいノッチ深度を有する信号を示す。第１のＰＳＤ５３０は、ノッチされていない周波数用の電力レベルをＰＳＤ制約５１０によって許可される最大電力に設定する結果を示す。ＰＳＤロールオフのせいで、ノッチされた周波数５０５に隣接する周波数（たとえば、周波数５０７）は、信号のキャリアがノッチされた周波数５０５においてＰＳＤ制約５１０を超えないように、より低い電力レベルに設定される。第１のＰＳＤ５３０では、Ｆ１からＦ３までのキャリアはより小さい電力を使用し、したがって、データの送信に使用可能なより少ないキャリアを表す場合がある。
【００８７】
[00100]  第２のＰＳＤ５５０は、第１のＰＳＤ５３０よりも小さいノッチ深度を有する。第２のＰＳＤ５５０は、ノッチされていない周波数用の電力レベルを削減された電力レベル５３４に設定することに関連する。結果として、ＰＳＤロールオフはより小さく、送信機は隣接するキャリアをよりよく利用することが可能であり得る。たとえば、周波数Ｆ２において、第２のＰＳＤ５５０は、第１のＰＳＤ５３０よりも高い電力を有し得る。記載されたように、より大きいノッチ深度５６３（たとえば、３９ｄＢ）は、より小さいノッチ深度５６５（たとえば、３０ｄＢ）よりも少ない使用可能なキャリアに関連付けられ得る。このことおよび潜在的な他の理由のために、送信適応モジュールは、最大許容電力レベルよりも低い電力レベルを選択することができる。送信適応モジュールは、より深いノッチを提供する異なる送信プロファイルを選択することもできる。（第１のＰＳＤ５３０などにおいて）より深いノッチを提供する送信プロファイルは、第２のＰＳＤ５５０における深くないノッチには最適でない場合がある。
【００８８】
[00101]  図６は、本開示の概念が記載される例示的なメッセージフロー図６００の図である。例示的なメッセージフロー図６００は、第１のデバイス６１０（たとえば、第１のデバイス１１０に類似する送信デバイス）と、第２のデバイス６２０（たとえば、第２のデバイス１２０に類似する受信デバイス）とを描写する。通信媒体（図示せず）は２つのデバイスを結合し、多周波信号がそれを介して通信され得る通信チャネルを提供する。６１２において、第１のデバイス６１０は、第２のデバイス６２０によって検出され得る基準信号（たとえば、サウンディング基準信号（sounding reference signal））を送信することができる。
【００８９】
[00102]  ６１８において、第２のデバイス６２０は、ＳＮＲまたは基準信号に関連付けられた他の特性値を測定することができる。第２のデバイス６２０は、トーンマップまたは特定の周波数についてのチャネル品質を示す他の情報を準備することもできる。６２４において、第２のデバイス６２０は、トーンマップまたはチャネル品質を示す他の情報を第１のデバイス６１０に返信することができる。
【００９０】
[00103]  ６２８において、第１のデバイス６１０は、複数の周波数サブバンドを定義するために、トーンマップまたはチャネル品質を示す他の情報を利用することができる。たとえば、同じトーンマップ構成および／または（しきい値量内の）同様の品質を共有する１組の連続する周波数は、周波数サブバンドにグループ化され得る。通信チャネルに関連付けられた周波数帯域は、すべての周波数が複数の周波数サブバンドのうちの１つに割り当てられるまで、再分割され得る。
【００９１】
[00104]  次いで、第１のデバイス６１０は、送信機に関連付けられた総電力能力の部分を複数の周波数サブバンドの各々に割り振ることができる。いくつかの実施形態では、特定の周波数サブバンド内の周波数に関連する平均品質は、特定の周波数サブバンドへの電力の割振りに影響を及ぼす場合がある。次に、第１のデバイス６１０は、周波数サブバンドに割り振られた最大電力の割り振られた部分に少なくとも部分的に基づいて、周波数サブバンドごとの電力レベルを決定することもできる。いくつかの実施形態では、送信プロファイルの選択または特定の周波数用の電力レベルの調整は、２つの隣接する周波数サブバンド間の得られたノッチ深度に少なくとも部分的に基づき得る。
【００９２】
[00105]  ６３２において、第１のデバイス６１０は、場合によっては、第２のデバイス６２０に電力割振りマップまたは他のメッセージを通信することができる。６４２において、第１のデバイス６１０は、通信チャネル内で使用される周波数ごとに割り振られた電力と電力レベルとを使用して、信号を送信することができる。
【００９３】
[00106]  図７は、本開示の一実施形態による、送信電力の適応を示す例示的なフローチャート７００である。７１０において、通信デバイスは、場合によっては、通信チャネルに関連付けられた周波数帯域から、複数の周波数サブバンドを定義することができる。７２０において、通信デバイスは、送信機に関連付けられた総電力能力の一部分を、通信チャネルに関連付けられた周波数サブバンドに割り振ることができる。７３０において、通信デバイスは、総電力能力の割り振られた部分に少なくとも部分的に基づいて、周波数サブバンド用の電力レベルを決定することができる。７４０において、通信デバイスは、場合によっては、送信電力スペクトル密度（ＰＳＤ）を最適化するために、周波数サブバンドごとの電力レベルを調整することができる。
【００９４】
[00107]  一実施形態では、送信適応は反復型であり得る。たとえば、矢印７５０によって示されたように、送信ＰＳＤを最適化するために周波数サブバンドごとの電力レベルを調整した後に、フローチャートはブロック７２０に戻る場合がある。送信機に関連付けられた総電力能力よりも小さい場合、ブロック７２０において、総電力能力の残りの部分が割り振られ得る。総電力能力が完全に割り振られ、送信ＰＳＤを最適化するために周波数サブバンドごとの電力レベルが調整されるまで、ブロック７２０、７３０、７４０は反復的に実行され得る。
【００９５】
[00108]  図８は、送信適応特性を通信するための例示的なメッセージフォーマット８００を描写する。いくつかの実施形態では、送信機が特定の送信ＰＳＤを決定すると、送信機は受信機に送信ＰＳＤを通信することができる。たとえば、送信機は、キャリアごとに、またはキャリアのグループごとに使用される電力レベル（または振幅）を符号化し、符号化されたメッセージを受信機に送ることができる。送信機生成ＰＳＤを伝達するメッセージは、電力割振りマップと呼ばれ得る。いくつかの通信システムでは、すべてのキャリアが同じ変調およびコーディング方式（ＭＣＳ）を使用するロバスト通信モード（robust communications mode）（「ＲＯＢＯ」）が使用され得る。ＲＯＢＯを使用する通信システムでは、電力割振りマップの通信は、特定の周波数または周波数サブバンド用の様々な電力レベルを有する信号を正しく受信し復号する際に、受信機を支援することができる。
【００９６】
[00109]  例示的なメッセージフォーマット８００は、プリアンブル８２２と、フレームヘッダ８２４と、フレーム本体８１０と、（たとえば、巡回冗長検査、ＣＲＣの値を送るための）フレームチェックシーケンス（ＦＣＳ）８２６とを有する送信フレーム８２０を含む。フレーム本体８１０は、１つまたは複数のフィールドまたは情報要素８５２、８５６、８５８を用いて符号化され得る。たとえば、１つまたは複数の情報要素８５６は、送信機と受信機の両方に知られているシンタックス内で符号化された送信適応特定を含む場合がある。
【００９７】
[00110]  一実施形態では、送信プロファイルは、送信フレームのフレームヘッダ内のインジケータとして送信され得る。フレームヘッダは送信プロファイルを使用しない場合があるが、送信フレームの本体は送信プロファイルを使用し得る。別の実施形態では、送信プロファイルは、送信フレームのパケット本体にインジケータとして含まれ得る。送信プロファイルは、次の送信フレームに使用され得る。
【００９８】
[00111]  図９は、ノッチ深度に少なくとも部分的に基づく送信プロファイルの選択を示す概念図９００である。ＰＳＤ制約９１０は、エッジの片側に最大許容電力レベル９１２を有し、エッジの反対側にノッチされた電力レベル９１４を有するノッチのエッジを定義することができる。第１のＰＳＤ９３０は、最大許容電力レベル９１２を使用して関連付けられる場合があり、第２のＰＳＤ９５０は、削減された電力レベル９３４を使用して関連付けられ得る。
【００９９】
[00112]  ２つの概念的な送信プロファイルである、第１の送信プロファイル９６１および第２の送信プロファイル９６２も図９に示されている。本開示の様々な実施形態によれば、送信機は複数の送信プロファイルを保持することができる。各送信プロファイルは、ＰＳＤ内に見出されるノッチ深度に少なくとも部分的に基づいて、ＰＳＤ向けにカスタマイズ（たとえば、最適化）され得る。たとえば、第１の送信プロファイル９６１は、送信機が第１のＰＳＤ９３０に関連付けられた電力設定を使用するときに使用され得る。第２の送信プロファイル９６２は、送信機が第２のＰＳＤ９５０に関連付けられた電力設定を使用するときに使用され得る。たとえば、ノッチ深度が３０ｄＢを超える場合、第１の送信プロファイル９６１は、より急激なＰＳＤロールオフを可能にする特性値を有し得る。第２の送信プロファイル９６２は、ノッチ深度が３０ｄＢ以下である信号向けに最適化され得る。いくつかの実施形態では、パルス整形は時間領域内で行われ、すべてのキャリアに影響を及ぼす可能性がある。一実施形態では、送信プロファイルの選択は、送信用の目標ＰＳＤ内のすべてのノッチの中からの平均ノッチ深度または中間ノッチ深度に少なくとも部分的に基づき得る。
【０１００】
[00113]  パルス整形は、キャリアごとに制御されたＰＳＤロールオフを作成するために使用され得る。例として、第１の送信プロファイルは、主キャリア上の中央にある７つのキャリア上の［０％  １％  ４％  ９０％  ４％  １％  ０％]のパターンで電力が分配されるロールオフを作成するために使用される場合があり、第２の送信プロファイルは、主キャリア上の中央にある７つのキャリア上の［１％  ３％  ６％  ８０％  ６％  ３％  １％]のパターンで電力が分配されるロールオフを作成するために使用され得る。第１の送信プロファイルは、より多くの電力が主キャリアに含まれ、隣接するキャリアがそれらを含む電力に関してより迅速に落ち込むので、より急激なロールオフパターンを実現することができる。一実施形態では、パルス整形は、各時間領域サンプルを「パルス整形ウィンドウ（pulse-shaping window）」値と乗算することによって実行され得る。ウィンドウは、特に、ＯＦＤＭシンボルの先頭と末端が形成され、ＯＦＤＭの大部分がパルス整形によって引き起こされるひずみを最小化するために変更されないようであり得る。他の実施形態では、パルス整形は、時間領域内で有限インパルス応答（ＦＩＲ：finite impulse response）フィルタを使用することによって実行され得るか、または（逆ＦＦＴの前に）周波数領域内で適用され得る。
【０１０１】
[00114]  様々な送信プロファイルは、特定のノッチ深度向けに最適化されたＰＳＤロールオフ特性値を利用することができる。送信プロファイルは、連続する送信されたシンボル間のタイミングに関連付けられた様々なガード間隔長を定義することもできる。いくつかの実装形態では、（より大きいノッチ深度用のより急激なロールオフパターンを達成する）パルス整形は、シンボル間のより長いガード間隔に関連付けられ得る。
【０１０２】
[00115]  図１０Ａおよび図１０Ｂは、送信プロファイルとともに使用され得るシンボルタイミングに関するいくつかの概念を示す。ＯＦＤＭ変調では、データはＯＦＤＭ「シンボル」の形式で送信される。各シンボルは、所定の持続時間またはシンボル時間を有する。各シンボルは、互いに直交し、ＯＦＤＭキャリアを形成する複数の正弦波キャリア波形の重ね合わせから生成される。各キャリアは、シンボルの先頭から測定されたピーク周波数と位相とを有する。シンボルに続いて、次のシンボル間の遅延としてガード間隔時間が使用される。
【０１０３】
[00116]  図１０Ａは、一連のＯＦＤＭシンボル１００１Ａと、１００２Ａと、１００３Ａとを示す。第２のＯＦＤＭシンボル１００２Ａは、シンボル期間ＴS１０１０Ａを有する。第１のＯＦＤＭシンボル１００１Ａと第２のＯＦＤＭシンボル１００２Ａとの間に、連続するシンボルが両方とも送信の電力に寄与する重複期間が存在する。重複は遷移間隔（ＴＩ：transition interval）１０２０Ａと呼ばれる場合もある。ＴＩ１０２０Ａは、遷移用に構成されたロールオフ間隔（ＲＩ：roll-off interval）１０２２Ａに密接に関係する。ガード間隔（ＧＩ：guard interval）１０２４ＡがＲＩ１０２２Ａに続く。一緒に、ＲＩ１０２２ＡおよびＧＩ１０２４Ａは、ＯＦＤＭシンボルのサイクリックプレフィックス１０１４Ａを送信するために使用される。次に、ＩＦＦＴ間隔Ｔ１０１２Ａは、ＯＦＤＭシンボルがＩＦＦＴプロセスからのサンプルを含む間の時間を定義する。ＲＩ１０２２Ａは、いくつかの通信システムでは４．９６マイクロ秒であり得るし、ＴＩ１０２０Ａは４．９６マイクロ秒以下である。
【０１０４】
[00117]  図１０Ｂは、一連のＯＦＤＭシンボル１００１Ｂと、１００２Ｂと、１００３Ｂとを示す。第２のＯＦＤＭシンボル１００２Ｂは、シンボル期間ＴS１０１０Ｂを有する。シンボル期間ＴS１０１０Ｂは、シンボル期間ＴS１０１０Ａと同じであり得る。第１のＯＦＤＭシンボル１００１Ｂと第２のＯＦＤＭシンボル１００２Ｂとの間に、遷移用に構成されたロールオフ間隔（ＲＩ）１０２２Ｂに関係する遷移間隔（ＴＩ）１０２０Ｂが存在する。ガード間隔（ＧＩ）１０２４ＢがＲＩ１０２２Ｂに続く。一緒に、ＲＩ１０２２ＢおよびＧＩ１０２４Ｂは、ＯＦＤＭシンボルのサイクリックプレフィックス１０１４Ｂを送信するために使用される。次に、ＩＦＦＴ間隔Ｔ１０１２Ｂは、ＯＦＤＭシンボルがＩＦＦＴプロセスからのサンプルを含む間の時間を定義する。
【０１０５】
[00118]  本開示の少なくとも１つの実施形態によれば、送信プロファイルはシンボルタイミング情報に関連付けられ得る。シンボルタイミング情報は、ＯＦＤＭシンボルに関連付けられたＴＩ（またはＲＩ）およびＧＩなどの特性値を定義することができる。たとえば、電力がより深いノッチ用のパルス整形をサポートするためにさらに広げられ得るように、何らかのパルス整形はより長い遷移間隔から恩恵を受けることができる。一例として、図１０ＡのＴＩ１０２０Ａは４．９６マイクロ秒であり得るが、図１０ＢのＴＩ１０２０Ｂは６．９６マイクロ秒であり得る。シンボルタイミングを調整することによって、次のＯＦＤＭシンボルとのより長いかより短い重複（たとえば、ＴＩまたはＲＩ）を有する様々なパルス整形が使用され得る。別の例として、図１０ＡのＧＩ１０２２Ａは５．５６マイクロ秒であり得るが、図１０ＢのＧＩ１０２２Ｂは７．５６マイクロ秒であり得る。
【０１０６】
[00119]  パルス整形は、前に記載されたように、ＰＳＤロールオフに対する影響を有する。時間領域内のテーパが長いほど、周波数領域内のロールオフは鋭くなることが可能になる場合がある。そのように、より深いノッチを実現するためには、より鋭い周波数領域のロールオフが必要であり得る。したがって、より鋭い周波数領域のロールオフを取得するためには、より長いテーパリング期間（tapering period）を使用することが有利である。テーパリング期間は、より長い遷移間隔および／またはガード間隔を使用することによって、増大し得る。
【０１０７】
[00120]  一実施形態では、より長い重複（たとえば、ＴＩ）および／またはより長いガード間隔は、より深いノッチに使用される送信プロファイルに関連付けられ得る。より短い重複および／またはより短いガード間隔は、より低い送信電力に使用され得る。送信適応モジュールは、送信用の電力レベルとノッチ深度とを決定し、次いで、ノッチ深度に最適な送信プロファイルを選択することができる。重複、ガード間隔などのシンボルタイミングパラメータは、送信プロファイルの一部であり得る。
【０１０８】
[00121]  他の一実施形態では、送信プロファイルは、チャネル状態に少なくとも部分的に基づき得る。不十分なチャネル状態は、より長い重複から恩恵を受ける場合がある。電力が不十分なチャネル状態のために増大し得るシステムでは、より長い重複とより急激なＰＳＤロールオフを有するパルス整形とを有すると、受信機によるＯＦＤＭシンボルの受信およびサンプリングが改善され得る。チャネル状態が良好な別の例では、送信機は、ＰＨＹ送信レートを最大化するために、送信の電力を削減し、より短い重複（およびより短いガード間隔）を使用することができる。
【０１０９】
[00122]  シンボル処理において受信機を支援するために、送信機は、シンボルタイミングパラメータを含む送信プロファイルについての情報を受信機に通信することができる。
【０１１０】
[00123]  図１１は、本開示の一実施形態による、選択された送信プロファイルを通信するための例示的なメッセージフォーマット１１００を描写する。送信プロファイルインジケータ１１８２は、送信フレーム１１２０のフレームヘッダ１１２４に含まれ得る。送信フレーム１１２０は、プリアンブル１１２２と、フレーム本体１１１０と、ＦＣＳ１１２６とを含む場合もある。代替の実装形態では、送信プロファイルインジケータ１１８２は、フレーム本体１１１０の一部として含まれ得る。送信フレームは、一連のＯＦＤＭシンボルとして送信され得る。プリアンブル内で送信プロファイルについての情報をシグナリングすることによって、受信機は、送信フレーム１１２０用の次のＯＦＤＭシンボルまたは次の送信の受信において、送信プロファイル情報を利用することができる。
【０１１１】
[00124]  いくつかの実施形態では、送信プロファイルインジケータ（transmission profile indicator）１１８２は、送信機と受信機の両方に知られている、複数のあらかじめ定義されるか、またはあらかじめ通信された送信プロファイルのうちの１つを識別するインジケータであり得る。送信機は、送信フレーム１１２０の残りの部分または次の送信フレーム（図示せず）のシグナリングに使用される送信プロファイルを識別するために、送信プロファイルインジケータ１１８２を含む場合がある。たとえば、フレームヘッダ１１２４に含まれる送信プロファイルインジケータ１１８２は、送信プロファイルがフレーム本体１１１０を構成するシンボルの送信に使用されることを示す場合がある。
【０１１２】
[00125]  図１２は、本開示の一実施形態による方法を示す例示的なフローチャート１２００である。１２１０において、方法は、通信チャネルに関連付けられた周波数帯域の隣接する周波数サブバンド用の様々な電力レベルに関連付けられたノッチ深度を決定することを含み得る。１２２０において、方法は、様々なノッチ深度用の複数の送信プロファイルの中から、ノッチ深度に少なくとも部分的に基づいて送信プロファイルを選択することを含み得る。１２３０において、方法は、場合によっては、受信デバイスへの送信用に送信プロファイルを利用する前に、受信デバイスに選択された送信プロファイルを通信することを含み得る。１２４０において、方法は、選択された送信プロファイルを使用して信号を送信することを含み得る。
【０１１３】
[00126]  図１３は、ケーブルプラント損失（cable plant loss）（たとえば、通信媒体のチャネル状態によって引き起こされる信号の減衰）に少なくとも部分的に基づいて、様々な送信プロファイルの有効性を示す例示的な図である。第１のプロット１３１０および第２のプロット１３２０は、様々なプラント損失についての第１の送信プロファイルの平均集合ＰＨＹレートを示す。第１のプロット１３１０は、５．５６マイクロ秒のガード間隔とともに４．９６マイクロ秒の遷移間隔を使用する第１の送信プロファイルに関連付けられる。第１の送信プロファイルは、下部周波数帯域内の−５０ｄＢｍ／Ｈｚの電力ならびに上部周波数帯域およびハム帯域内の−８０ｄＢｍ／Ｈｚの電力とともに使用される。第２のプロット１３２０は、２．５６マイクロ秒のガード間隔とともに１．２４マイクロ秒の遷移間隔を使用する第２の送信プロファイルに関連付けられる。第２の送信プロファイルは、下部帯域内の−６２ｄＢｍ／Ｈｚの電力ならびに上部帯域およびハム帯域内の−８０ｄＢｍ／Ｈｚの電力とともに使用される。図に少なくとも部分的に基づいて、第２の送信プロファイル（第２のプロット１３２０）は、低い減衰１３１５においてより良いＰＨＹレートを得る。第１の送信プロファイル（第１のプロット１３１０）は、高い減衰１３２５においてより良いＰＨＹレートを得る。
【０１１４】
[00127]  いくつかの実施形態では、送信適応モジュールは、複数の送信プロファイルのうちのどの送信プロファイルを送信に使用するべきかを決定するために、チャネル状態または電力レベルに少なくとも部分的に基づいて、しきい値１３３０を識別することができる。
【０１１５】
[00128]  図１〜図１３および本明細書に記載された動作は、実施形態の理解を助けることになる例であり、実施形態を限定するために、または特許請求の範囲を限定するために使用されるべきではないことを理解されたい。実施形態は、さらなる動作を実行し、より少ない動作を実行し、並行してまたは異なる順序で動作を実行し、いくつかの動作を異なるように実行することができる。
【０１１６】
[00129]  当業者によって諒解されるように、本開示の態様は、システム、方法、またはコンピュータプログラム製品として具現化され得る。したがって、本開示の態様は、完全にハードウェアの実施形態、（ファームウェア、常駐ソフトウェア、マイクロコードなどを含む）ソフトウェアの実施形態、またはソフトウェアとハードウェアの態様を組み合わせる実施形態の形態をとる場合があり、それらはすべて、本明細書では一般に「回路」、「モジュール」、または「システム」と呼ばれ得る。さらに、本開示の態様は、その上にコンピュータ可読プログラムコードが具現化された１つまたは複数のコンピュータ可読媒体内で具現化されるコンピュータプログラム製品の形態をとる場合がある。
【０１１７】
[00130]  １つまたは複数の非一時的コンピュータ可読媒体の任意の組合せが利用され得る。非一時的コンピュータ可読媒体は、一時的伝搬信号を唯一の例外として、すべてのコンピュータ可読媒体を備える。非一時的コンピュータ可読媒体は、コンピュータ可読記憶媒体であり得る。コンピュータ可読記憶媒体は、たとえば、限定はしないが、電子、磁気、光学、電磁、赤外線、もしくは半導体のシステム、装置、もしくはデバイス、または上記の任意の適切な組合せであり得る。コンピュータ可読記憶媒体のより具体的な例（非網羅的リスト）には、以下の、１つもしくは複数のワイヤを有する電気的接続、ポータブルコンピュータディスケット、ハードディスク、ランダムアクセスメモリ（ＲＡＭ）、読取り専用メモリ（ＲＯＭ）、消去可能プログラマブル読取り専用メモリ（ＥＰＲＯＭもしくはフラッシュメモリ）、光ファイバ、ポータブルコンパクトディスク読取り専用メモリ（ＣＤ−ＲＯＭ）、光ストレージデバイス、磁気ストレージデバイス、または上記の任意の適切な組合せが含まれるはすである。本文書の文脈では、コンピュータ可読記憶媒体は、命令実行システム、装置、またはデバイスによって使用されるか、またはそれらと組み合わせて使用されるプログラムを含むことができるか、または記憶することができる、任意の有形媒体であり得る。
【０１１８】
[00131]  本開示の態様についての動作を遂行するためのコンピュータ可読媒体上に具現化されたコンピュータプログラムコードは、Ｊａｖａ（登録商標）、Ｓｍａｌｌｔａｌｋ、Ｃ＋＋などのオブジェクト指向プログラミング言語と、「Ｃ」プログラミング言語または同様のプログラミング言語などの従来の手続き型プログラミング言語とを含む、１つまたは複数のプログラミング言語の任意の組合せにおいて書き込まれ得る。プログラムコードは、完全にユーザのコンピュータ上で、部分的にユーザのコンピュータ上で、スタンドアロンのソフトウェアパッケージとして、部分的にユーザのコンピュータ上および部分的にリモートコンピュータ上で、または完全にリモートコンピュータもしくはサーバ上で、実行され得る。後者のシナリオでは、リモートコンピュータは、ローカルエリアネットワーク（ＬＡＮ）もしくはワイドエリアネットワーク（ＷＡＮ）を含む任意のタイプのネットワークを介してユーザのコンピュータに接続され得るか、または（たとえば、インターネットサービスプロバイダを使用してインターネットを介して）外部のコンピュータへの接続が行われ得る。
【０１１９】
[00132]  本開示の実施形態による方法、装置（システム）、およびコンピュータプログラム製品のフローチャート図および／またはブロック図を参照して、本開示の態様が記載されている。フローチャート図および／またはブロック図の各ブロック、ならびにフローチャート図および／またはブロック図内のブロックの組合せは、コンピュータプログラム命令によって実施され得ることを理解されたい。これらのコンピュータプログラム命令は、汎用コンピュータ、専用コンピュータ、または機械を製造する他のプログラマブルデータ処理装置のプロセッサに供給される場合があり、その結果、コンピュータまたは他のプログラマブルデータ処理装置のプロセッサを介して実行される命令は、フローチャートおよび／またはブロック図の１つまたは複数のブロックにおいて指定された機能／動作を実施するための手段を作成する。
【０１２０】
[00133]  これらのコンピュータプログラム命令は、コンピュータ、他のプログラマブルデータ処理装置、または他のデバイスに特定の方式で機能するように指示することができるコンピュータ可読媒体に記憶される場合もあり、その結果、コンピュータ可読媒体に記憶された命令は、フローチャートおよび／またはブロック図の１つまたは複数のブロックにおいて指定された機能／動作を実施する命令を含む製造品を製造する。
【０１２１】
[00134]  コンピュータプログラム命令は、コンピュータ実装プロセスを生成するために、一連の動作ステップをコンピュータ、他のプログラマブル装置、または他のデバイス上で実行させるように、コンピュータ、他のプログラマブルデータ処理装置、または他のデバイスにロードされる場合のもあり、その結果、コンピュータまたは他のプログラマブル装置上で実行される命令は、フローチャートおよび／またはブロック図の１つまたは複数のブロックにおいて指定された機能／動作を実施するためのプロセスを提供する。
【０１２２】
[00135]  図１４は、本開示の様々な実施形態による、送信電力の適応に適した電子デバイス１４００の一実施形態の例示的なブロック図である。いくつかの実装形態では、電子デバイス１４００は、ラップトップコンピュータ、ネットブック、モバイルフォン、電力線通信デバイス、携帯情報端末（ＰＤＡ）、または他の電子システムのうちの１つであり得る。電子デバイス１４００は、（複数のプロセッサ、複数のコア、複数のノードを含む場合、および／またはマルチスレッドを実装する場合などもある）プロセッサユニット１４０２を含む。電子デバイス１４００はメモリユニット１４０６を含む。メモリユニット１４０６は、システムメモリ（たとえば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ（登録商標）、ＮＲＡＭ、ＲＲＡＭ（登録商標）、ＳＯＮＯＳ、ＰＲＡＭなどのうちの１つもしくは複数）、または、機械可読媒体のすでに上述された可能な実現例のうちのいずれかの１つもしくは複数であり得る。電子デバイス１４００はまた、バス１４１０（たとえば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩなど）と、ワイヤレスネットワークインターフェース（たとえば、ＷＬＡＮインターフェース、Ｂｌｕｅｔｏｏｔｈ（登録商標）インターフェース、ＷｉＭＡＸ（登録商標）インターフェース、ＺｉｇＢｅｅ（登録商標）インターフェース、ワイヤレスＵＳＢインターフェースなど）および有線ネットワークインターフェース（たとえば、Ｅｔｈｅｒｎｅｔ（登録商標）インターフェース、電力線通信インターフェースなど）のうちの少なくとも１つを含むネットワークインターフェース１４０４とを含む。いくつかの実装形態では、電子デバイス１４００は、複数のネットワークインターフェースをサポートすることができ、それらのインターフェースの各々は、電子デバイス１４００を異なる通信ネットワークに結合するように構成される。
【０１２３】
[00136]  電子デバイス１４００は、また、送信適応モジュール１４１４と送信機１４１２とを含む。いくつかの実施形態では、送信適応モジュール１４１４および送信機１４１２は、通信ユニット１４０８の一部として含まれ得る。いくつかの実施形態では、通信ユニット１４０８は、（たとえば、通信がその中で、メインプロセッサユニットに加えて、１つまたは複数の専用プロセッサまたは処理ユニットを有し得る、チップ、または複数のチップを有するボード、または複数のボード上にシステムを備える通信ユニットなどの）専用プロセッサを有する場合もあることを理解されたい。
【０１２４】
[00137]  図１〜図１３において上述されたように、送信適応モジュール１４１４は、送信適応に関係する機能を実装することができる。たとえば、送信適応モジュール１４１４は、本明細書に記載された様々な要因に少なくとも部分的に基づいて、１つまたは複数の周波数サブバンドに送信機１４１２の総電力能力からの電力の部分を割り振ることに適し得る。送信適応モジュール１４１４は、ＰＳＤ制約内のノッチに少なくとも部分的に基づいて、特定の周波数用の電力レベルを変更することもできる。送信適応モジュール１４１４は、特定のノッチ深度向けに最適化された複数の送信プロファイルのうちの１つを選択することもできる。送信適応モジュール１４１４は、シンボルタイミングパラメータを構成するために、送信プロファイルに関連付けられたシンボルタイミング情報を利用することができる。
【０１２５】
[00138]  これらの機能のうちのいずれか１つは、ハードウェアにおいて、および／またはプロセッサユニット１４０２上で部分的に（または完全に）実装され得る。たとえば、機能は、特定用途向け集積回路を用いて、プロセッサユニット１４０２内に実装されるロジックにおいて、周辺デバイスまたはカード上のコプロセッサにおいて、などで実装され得る。さらに、実現形態は、図１４に示されていない、わずかな追加の構成要素（たとえば、ビデオカード、オーディオカード、追加のネットワークインターフェース、周辺デバイスなど）を含む場合がある。プロセッサユニット１４０２、メモリユニット１４０６、およびネットワークインターフェース１４０４は、バス１４１０に結合される。バス１４１０に結合されているものとして示されているが、メモリユニット１４０６はプロセッサユニット１４０２に結合され得る。
【０１２６】
[00139]  様々な実装形態と活用とを参照して実施形態が記載されているが、これらの実施形態は例示的なものであり、本開示の範囲がそれらに限定されないことを理解されたい。一般に、本明細書に記載された送信適応のための技法は、任意の１つまたは複数のハードウェアシステムと調和する設備を用いて実施され得る。多くの変形、修正、追加、および改善が可能である。
【０１２７】
[00140]  複数の事例は、本明細書に記載された構成要素、動作、または構造に単一の事例として提供され得る。最後に、様々な構成要素、動作、およびデータストアの間の境界は、ある程度任意であり、特定の動作が固有の例示的な構成との関連で示されている。機能の他の割振りが想定され、本開示の範囲内に入り得る。一般に、例示的な構成において別々の構成要素として提示された構造および機能は、組み合わされた構造または構成要素として実装され得る。同様に、単一の構成要素として提示された構造および機能は、別々の構成要素として実装され得る。これらおよび他の変形、修正、追加、および改善は、本開示の範囲内に入り得る。
【図１】
2017501601.tif 000003
【図２】
2017501601.tif 000004
【図３】
2017501601.tif 000005
【図４Ａ】
2017501601.tif 000006
【図４Ｂ】
2017501601.tif 000007
【図５】
2017501601.tif 000008
【図６】
2017501601.tif 000009
【図７】
2017501601.tif 000010
【図８】
2017501601.tif 000011
【図９】
2017501601.tif 000012
【図１０Ａ】
2017501601.tif 000013
【図１０Ｂ】
2017501601.tif 000014
【図１１】
2017501601.tif 000015
【図１２】
2017501601.tif 000016
【図１３】
2017501601.tif 000017
【図１４】
2017501601.tif 000018
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
ネットワークを介して信号を通信するための方法であって、
通信チャネルに関連付けられた周波数帯域内の第１の周波数サブバンドを定義するために、第１の連続周波数のセットをグループ化することと、前記第１の連続周波数のセットは、しきい値範囲内のチャネル品質インジケータに関連付けられる、
送信機に関連付けられた総電力能力の第１の部分を、前記第１の周波数サブバンドに割り振ることと、
前記総電力能力の前記割り振られた第１の部分に、少なくとも部分的に、基づいて、前記第１の周波数サブバンド用の第１の電力レベルを決定することと、
前記第１の周波数サブバンド用の前記第１の電力レベルに従って、前記信号を送信することと
を備える、方法。
【請求項２】
前記通信チャネルに関連付けられた前記周波数帯域内の複数の周波数サブバンドを定義すること
をさらに備え、
前記送信機に関連付けられた前記総電力能力の前記部分を前記割り振ることは、前記複数の周波数サブバンドの各々に前記総電力能力の部分を割り振ることを含む、
請求項１に記載の方法。
【請求項３】
前記複数の周波数サブバンドの各々に割り振られた前記総電力能力の前記部分に、少なくとも部分的に基づいて、前記複数の周波数サブバンドの各々用の電力レベルを決定すること
をさらに備える、請求項２に記載の方法。
【請求項４】
前記第１の電力レベルをメッセージの一部として符号化することと、
前記メッセージを受信デバイスに通信することと
をさらに備える、請求項１に記載の方法。
【請求項５】
前記通信チャネルに関連付けられた前記周波数帯域内の第２の周波数サブバンドを定義するために、ノッチされた第２の連続周波数のセットをグループ化することと、
前記第１の部分を割り振ることの後に、前記総電力能力の残量に、少なくとも部分的に基づいて、前記総電力能力の第２の部分を前記第２の周波数サブバンドに割り振ることと、
前記第２の周波数サブバンドに割り振られた前記総電力能力の前記第２の部分に、少なくとも部分的に基づいて、前記第２の周波数サブバンド用の第２の電力レベルを決定することと、
をさらに備える、請求項１に記載の方法。
【請求項６】
前記第１の周波数サブバンドがノッチされた周波数に関連付けられるか、または、前記チャネル品質インジケータが前記しきい値範囲の外側にあり、前記総電力能力の前記第１の部分を前記割り振ることは、
ノッチされた電力レベルを前記第１の周波数サブバンドに割り振ること
を備える、請求項１に記載の方法。
【請求項７】
前記総電力能力の前記第１の部分を前記割り振ることは、
前記ノッチされた電力レベルを前記第１の周波数サブバンドに前記割り振ることの後に、前記総電力能力の残量を決定することと、
各残りの周波数サブバンドに前記総電力能力の前記残量の等しいサイズの部分を割り振ることと
をさらに備える、請求項６に記載の方法。
【請求項８】
隣接する周波数サブバンド用の様々な電力レベルに関連付けられたノッチ深度を決定することと、
様々なノッチ深度用の複数の送信プロファイルの中から、前記ノッチ深度に、少なくとも部分的に基づいて、第１の送信プロファイルを選択することと
をさらに備え、
前記第１の送信プロファイルは、前記ノッチ深度向けに最適化され、
前記信号を送信することは、前記第１の送信プロファイルを使用して前記信号を送信することを備える、
請求項１に記載の方法。
【請求項９】
前記信号を送信することは、
前記第１の送信プロファイルに従って時間領域内でパルス整形を実行すること
を備える、請求項８に記載の方法。
【請求項１０】
前記第１の送信プロファイルは、パルス整形またはシンボルタイミング、あるいはこれらの組み合わせに関連付けられる、請求項８に記載の方法。
【請求項１１】
受信デバイスへの送信用に前記第１の送信プロファイルを利用する前に、前記受信デバイスに前記第１の送信プロファイルを通信すること
をさらに備える、請求項８に記載の方法。
【請求項１２】
前記第１の送信プロファイルを前記通信することは、送信フレームのフレームヘッダ内でインジケータを送信することを含み、前記フレームヘッダは前記第１の送信プロファイルを使用せず、前記送信フレームの本体は前記第１の送信プロファイルを使用する、請求項１１に記載の方法。
【請求項１３】
前記第１の送信プロファイルを前記通信することは、送信フレームのパケット本体内でインジケータを送信することを含み、前記送信プロファイルは、次の送信フレームに使用される、請求項１１に記載の方法。
【請求項１４】
ネットワークを介して信号を送信するための装置であって、
プロセッサと、
前記プロセッサによって実行されると、前記装置に、
通信チャネルに関連付けられた周波数帯域内の第１の周波数サブバンドを定義するために、第１の連続周波数のセットをグループ化することと、前記第１の連続周波数のセットは、しきい値範囲内のチャネル品質インジケータに関連付けられる、
送信機に関連付けられた総電力能力の第１の部分を、前記第１の周波数サブバンドに割り振ることと、
前記総電力能力の前記割り振られた第１の部分に、少なくとも部分的に基づいて、前記第１の周波数サブバンド用の第１の電力レベルを決定することと
を行わせる命令を記憶するためのメモリと、
前記第１の周波数サブバンド用の前記第１の電力レベルに従って、前記信号を送信するように構成された前記送信機と
を備える、装置。
【請求項１５】
前記命令は、前記プロセッサによって実行されると、前記装置に、
前記通信チャネルに関連付けられた前記周波数帯域内の複数の周波数サブバンドを定義することと、
前記複数の周波数サブバンドの各々に前記総電力能力の部分を割り振ることと
を行わせる、請求項１４に記載の装置。
【請求項１６】
前記第１の周波数サブバンドがノッチされた周波数に関連付けられるか、または、前記チャネル品質インジケータが前記しきい値範囲の外側にあり、前記命令は、前記プロセッサによって実行されると、前記装置に、
ノッチされた電力レベルを前記第１の周波数サブバンドに割り振ることと、
前記第１の周波数サブバンドへの前記ノッチされた電力レベルの割り振りの後に、前記総電力能力の残量を決定することと、
各残りの周波数サブバンドに前記総電力能力の前記残量の等しいサイズの部分を割り振ることと
を行わせる、請求項１４に記載の装置。
【請求項１７】
前記命令は、前記プロセッサによって実行されると、前記装置に、
前記第１の電力レベルをメッセージの一部として符号化することと、
前記メッセージを受信デバイスに通信することと
を行わせる、請求項１４に記載の装置。
【請求項１８】
前記命令は、前記プロセッサによって実行されると、前記装置に、
隣接する周波数サブバンド用の様々な電力レベルに関連付けられたノッチ深度を決定することと、
様々なノッチ深度用の複数の送信プロファイルの中から、前記ノッチ深度に、少なくとも部分的に基づいて、第１の送信プロファイルを選択することと
を行わせ、
前記第１の送信プロファイルは、パルス整形またはシンボルタイミング、あるいはこれらの組み合わせに関連付けられ、前記第１の送信プロファイルは、前記ノッチ深度向けに最適化される、
請求項１４に記載の装置。
【請求項１９】
前記命令は、前記プロセッサによって実行されると、前記装置に、前記第１の送信プロファイルに従って時間領域内で前記パルス整形を実行することを行わせる、請求項１８に記載の装置。
【請求項２０】
前記命令は、前記プロセッサによって実行されると、前記装置に、受信デバイスへの送信用に前記第１の送信プロファイルを利用する前に、前記受信デバイスに前記第１の送信プロファイルを通信することを行わせる、請求項１８に記載の装置。
【請求項２１】
前記命令は、前記プロセッサによって実行されると、前記装置に、送信フレームのフレームヘッダ内でインジケータを送信することによって、前記受信デバイスに前記第１の送信プロファイルを通信することを行わせ、前記フレームヘッダは前記第１の送信プロファイルを使用せず、前記送信フレームの本体は前記第１の送信プロファイルを使用する、請求項２０に記載の装置。
【請求項２２】
ネットワークを介して通信するための方法であって、
通信チャネルに関連付けられた周波数帯域内の少なくとも１つの周波数サブバンドに関連付けられたノッチ深度を決定することと、
複数の送信プロファイルの中から、前記ノッチ深度に、少なくとも部分的に基づいて、第１の送信プロファイルを選択することと、ここにおいて、前記第１の送信プロファイルはパルス整形および／またはシンボルタイミングに関連付けられ、前記第１の送信プロファイルは、前記ノッチ深度向けに最適化される、
前記第１の送信プロファイルを使用して信号を送信することと
を備える、方法。
【請求項２３】
前記信号を送信することは、
前記第１の送信プロファイルに従って時間領域内で前記パルス整形を実行すること
を備える、請求項２２に記載の方法。
【請求項２４】
受信デバイスに前記信号を送信する前に、前記受信デバイスに前記第１の送信プロファイルを通信すること
をさらに備える、請求項２２に記載の方法。
【請求項２５】
前記第１の送信プロファイルを前記通信することは、送信フレームのフレームヘッダ内でインジケータを送信することを含み、前記フレームヘッダは前記第１の送信プロファイルを使用せず、前記送信フレームの本体は前記第１の送信プロファイルを使用する、請求項２４に記載の方法。
【請求項２６】
ネットワークを介して信号を送信するための装置であって、
プロセッサと、
前記プロセッサによって実行されると、前記装置に、
通信チャネルに関連付けられた周波数帯域内の少なくとも１つの周波数サブバンドに関連付けられたノッチ深度を決定することと、
複数の送信プロファイルの中から、前記ノッチ深度に、少なくとも部分的に基づいて、第１の送信プロファイルを選択することと、ここにおいて、前記第１の送信プロファイルは、パルス整形またはシンボルタイミングに関連付けられ、前記第１の送信プロファイルは、前記ノッチ深度向けに最適化される、
を行わせる命令を記憶するためのメモリと、
前記第１の送信プロファイルを使用して前記信号を送信するように構成された送信機と
を備える、装置。
【請求項２７】
前記命令は、前記プロセッサによって実行されると、前記装置に、前記送信プロファイルに従って時間領域内で前記シンボルタイミングを実行することを行わせる、請求項２６に記載の装置。
【請求項２８】
前記命令は、前記プロセッサによって実行されると、前記装置に、受信デバイスへの前記信号の送信の前に、前記受信デバイスに前記第１の送信プロファイルを通信することを行わせる、請求項２６に記載の装置。
【請求項２９】
前記命令は、前記プロセッサによって実行されると、前記装置に、送信フレームのフレームヘッダ内でインジケータを送信することによって、前記受信デバイスに前記第１の送信プロファイルを通信することを行わせ、前記フレームヘッダは前記第１の送信プロファイルを使用せず、前記送信フレームの本体は前記第１の送信プロファイルを使用する、請求項２８に記載の装置。
【手続補正２】
【補正対象書類名】明細書
【補正対象項目名】０１２７
【補正方法】変更
【補正の内容】
【０１２７】
[00140]  複数の事例は、本明細書に記載された構成要素、動作、または構造に単一の事例として提供され得る。最後に、様々な構成要素、動作、およびデータストアの間の境界は、ある程度任意であり、特定の動作が固有の例示的な構成との関連で示されている。機能の他の割振りが想定され、本開示の範囲内に入り得る。一般に、例示的な構成において別々の構成要素として提示された構造および機能は、組み合わされた構造または構成要素として実装され得る。同様に、単一の構成要素として提示された構造および機能は、別々の構成要素として実装され得る。これらおよび他の変形、修正、追加、および改善は、本開示の範囲内に入り得る。
以下に、本願出願の当初の特許請求の範囲に記載された発明を付記する。
［Ｃ１］
ネットワークを介して通信するための方法であって、
送信機に関連付けられた総電力能力の一部分を、通信チャネルに関連付けられた周波数サブバンドに割り振ることと、
前記総電力能力の前記割り振られた部分に、少なくとも部分的に基づいて、前記周波数サブバンド用の電力レベルを決定することと
を備える、方法。
［Ｃ２］
前記通信チャネルに関連付けられた周波数帯域から複数の周波数サブバンドを定義することをさらに備え、
前記送信機に関連付けられた前記総電力能力の前記部分を前記割り振ることが、前記複数の周波数サブバンドの各々に前記総電力能力の部分を割り振ることを含む、Ｃ１に記載の方法。
［Ｃ３］
対応する周波数サブバンドに割り振られた前記総電力能力の対応する部分に、少なくとも部分的に基づいて、前記複数の周波数サブバンドの各々用のサブバンド電力レベルを決定することをさらに備える、Ｃ２に記載の方法。
［Ｃ４］
各対応する周波数サブバンドに関連付けられた前記サブバンド電力レベルをメッセージの一部として符号化することと、
前記メッセージを受信デバイスに通信することと
をさらに備える、Ｃ３に記載の方法。
［Ｃ５］
前記複数の周波数サブバンドを前記定義することが、ノッチされた連続周波数のセットを周波数サブバンドとしてグループ化することを含む、Ｃ２に記載の方法。
［Ｃ６］
前記複数の周波数サブバンドを前記定義することが、しきい値範囲内のチャネル品質インジケータに関連付けられた連続周波数のセットを周波数サブバンドとしてグループ化することを含む、Ｃ２に記載の方法。
［Ｃ７］
前記総電力能力の部分を前記割り振ることが、
ノッチされた周波数またはしきい値を下回るチャネル品質に関連付けられた各周波数サブバンドに最小電力を割り振ることと、
ノッチされた周波数または前記しきい値を下回るチャネル品質に関連付けられた各周波数サブバンドに前記最小電力を前記割り振ることの後に、前記総電力能力の残量を決定することと、
各残りの周波数サブバンドに前記総電力能力の前記残量の等しいサイズの部分を割り振ることと
を含む、Ｃ２に記載の方法。
［Ｃ８］
隣接する周波数サブバンド用の様々な電力レベルに関連付けられたノッチ深度を決定することと、
様々なノッチ深度用の複数の送信プロファイルの中から、前記ノッチ深度に、少なくとも部分的に、基づいて送信プロファイルを選択することと
をさらに備える、Ｃ２に記載の方法。
［Ｃ９］
前記送信プロファイルを使用して時間領域内でパルス整形を実行することをさらに備える、Ｃ８に記載の方法。
［Ｃ１０］
前記送信プロファイルがシンボルタイミングに関連付けられる、Ｃ８に記載の方法。
［Ｃ１１］
受信デバイスへの送信用に前記送信プロファイルを利用する前に、前記受信デバイスに前記選択された送信プロファイルを通信することをさらに備える、Ｃ８に記載の方法。
［Ｃ１２］
前記選択された送信プロファイルを前記通信することが、送信フレームのフレームヘッダ内でインジケータを送信することを含み、ここにおいて、前記フレームヘッダが前記送信プロファイルを使用せず、前記送信フレームの本体が前記送信プロファイルを使用する、Ｃ１１に記載の方法。
［Ｃ１３］
前記選択された送信プロファイルを前記通信することが、送信フレームのパケット本体内でインジケータを送信することを含み、前記送信プロファイルが次の送信フレームに使用される、Ｃ１１に記載の方法。
［Ｃ１４］
ネットワークを介して信号を送信することに適した装置であって、
送信機に関連付けられた総電力能力の一部分を、通信チャネルに関連付けられた周波数サブバンドに割り振ることと、
前記総電力能力の前記割り振られた部分に、少なくとも部分的に基づいて、前記周波数サブバンド用の電力レベルを決定することと
に適した送信適応モジュールと、
前記周波数サブバンド用の前記決定された電力レベルに従って信号を送信することに適した前記送信機と
を備える、装置。
［Ｃ１５］
前記送信適応モジュールが、前記通信チャネルに関連付けられた周波数帯域から複数の周波数サブバンドを定義することに適し、ここにおいて、前記送信適応モジュールが、前記複数の周波数サブバンドの各々に前記総電力能力の部分を割り振ることに適する、Ｃ１４に記載の装置。
［Ｃ１６］
前記送信適応モジュールが、
ノッチされた周波数またはしきい値を下回るチャネル品質に関連付けられた各周波数サブバンドに最小電力を割り振ることと、
ノッチされた周波数または前記しきい値を下回るチャネル品質に関連付けられた各周波数サブバンドに前記最小電力を前記割り振ることの後に、前記総電力能力の残量を決定することと、
各残りの周波数サブバンドに前記総電力能力の前記残量の等しいサイズの部分を割り振ることと
に適する、Ｃ１５に記載の装置。
［Ｃ１７］
前記送信適応モジュールが、
各周波数サブバンドに関連付けられた前記電力レベルをメッセージの一部として符号化することと、
前記メッセージを受信デバイスに通信することと
に適する、Ｃ１５に記載の装置。
［Ｃ１８］
前記送信適応モジュールが、
隣接する周波数サブバンド用の様々な電力レベルに関連付けられたノッチ深度を決定することと、
様々なノッチ深度用の複数の送信プロファイルの中から、前記ノッチ深度に基づいて送信プロファイルを選択することと
に適する、Ｃ１５に記載の装置。
［Ｃ１９］
前記送信適応モジュールが、前記送信プロファイルに基づいて時間領域内でパルス整形を実行することに適する、Ｃ１８に記載の装置。
［Ｃ２０］
前記送信適応モジュールが、受信デバイスへの送信用に前記送信プロファイルを利用する前に、前記受信デバイスに前記選択された送信プロファイルを通信することに適する、Ｃ１８に記載の装置。
［Ｃ２１］
前記送信適応モジュールが、送信フレームのフレームヘッダ内でインジケータを送信することによって、前記受信デバイスに前記選択された送信プロファイルを通信することに適し、ここにおいて、前記フレームヘッダが前記送信プロファイルを使用せず、前記送信フレームの本体が前記送信プロファイルを使用する、Ｃ２０に記載の装置。
［Ｃ２２］
通信チャネルに関連付けられた周波数帯域の隣接する周波数サブバンド用の様々な電力レベルに関連付けられたノッチ深度を決定することと、
様々なノッチ深度用の複数の送信プロファイルの中から、前記ノッチ深度に、少なくとも部分的に、基づいて送信プロファイルを選択することと、
前記選択された送信プロファイルを使用して信号を送信することと
を備える、方法。
［Ｃ２３］
前記送信プロファイルに基づいて時間領域内でパルス整形を実行することをさらに備える、Ｃ２２に記載の方法。
［Ｃ２４］
受信デバイスへの送信用に前記送信プロファイルを利用する前に、前記受信デバイスに前記選択された送信プロファイルを通信することをさらに備える、Ｃ２２に記載の方法。
［Ｃ２５］
前記選択された送信プロファイルを前記通信することが、送信フレームのフレームヘッダ内でインジケータを送信することを含み、ここにおいて、前記フレームヘッダが前記送信プロファイルを使用せず、前記送信フレームの本体が前記送信プロファイルを使用する、Ｃ２４に記載の方法。
［Ｃ２６］
ネットワークを介して信号を送信することに適した装置であって、
通信チャネルに関連付けられた周波数帯域の隣接する周波数サブバンド用の様々な電力レベルに関連付けられたノッチ深度を決定することと、
様々なノッチ深度用の複数の送信プロファイルの中から、前記ノッチ深度に基づいて送信プロファイルを選択することと
に適した送信適応モジュールと、
前記選択された送信プロファイルを使用して信号を送信することに適した送信機と
を備える、装置。
［Ｃ２７］
前記送信適応モジュールが、前記送信プロファイルに基づいて時間領域内でシンボルタイミングを実行することに適する、Ｃ２６に記載の装置。
［Ｃ２８］
前記送信適応モジュールが、受信デバイスへの送信用に前記送信プロファイルを利用する前に、前記受信デバイスに前記選択された送信プロファイルを通信することに適する、Ｃ２６に記載の装置。
［Ｃ２９］
前記送信適応モジュールが、送信フレームのフレームヘッダ内でインジケータを送信することによって、前記受信デバイスに前記選択された送信プロファイルを通信することに適し、ここにおいて、前記フレームヘッダが前記送信プロファイルを使用せず、前記送信フレームの本体が前記送信プロファイルを使用する、Ｃ２８に記載の装置。
【国際調査報告】
2017501601.tif 000019
2017501601.tif 000020
2017501601.tif 000021
2017501601.tif 000022
2017501601.tif 000023